(57)【要約】【課題】大型化に適した表示装置を提供する。または、表示ムラの抑制された表示装置を提供する。または、曲面に沿って表示することの可能な表示装置を提供する。【解決手段】表示装置は第１の表示パネルおよび第２の表示パネルを有し、第１の表示パネルおよび第２の表示パネルのそれぞれは一対の基板を有し、第１の表示パネルおよび第２の表示パネルのそれぞれは第１の領域と、第２の領域と、第３の領域とを有し、第１の領域は可視光を透過することができる領域を有し、第２の領域は可視光を遮断することができる領域を有し、第３の領域は表示を行うことができる領域を有し、第１の表示パネルの第３の領域と第２の表示パネルの第１の領域とは、互いに重なるように設けられている領域を有し、第１の表示パネルの第３の領域と第２の表示パネルの第２の領域とは互いに重ならないように設けられている領域を有する。【選択図】図２
2015180924.tif 000002
【特許請求の範囲】
【請求項１】
第１の表示パネルおよび第２の表示パネルを有する表示装置であって、
前記第１の表示パネルおよび前記第２の表示パネルのそれぞれは、一対の基板を有し、
前記第１の表示パネルおよび前記第２の表示パネルのそれぞれは、第１の領域と、第２の領域と、第３の領域と、を有し、
前記第１の領域は、可視光を透過することができる領域を有し、
前記第２の領域は、可視光を遮断することができる領域を有し、
前記第３の領域は、表示を行うことができる領域を有し、
前記第１の表示パネルの前記第３の領域と、前記第２の表示パネルの前記第１の領域とは、互いに重なるように設けられている領域を有し、
前記第１の表示パネルの前記第３の領域と、前記第２の表示パネルの前記第２の領域とは、互いに重ならないように設けられている領域を有する、
表示装置。
【請求項２】
請求項１において、
前記第１の表示パネルおよび前記第２の表示パネルのそれぞれは、前記第３の領域において、発光素子を有し、
前記第１の表示パネルおよび前記第２の表示パネルのそれぞれは、前記第２の領域において、前記第３の領域の外周の一部に沿って設けられた配線を有し、
前記第１の表示パネルおよび前記第２の表示パネルのそれぞれは、前記第１の領域において、前記第３の領域の前記外周の他の一部に沿って設けられた封止材を有し、
前記第１の領域は、１ｍｍ以上１００ｍｍ以下の幅である領域を有する、
表示装置。
【請求項３】
第１の表示パネル、第２の表示パネルおよび第３の表示パネルを有する表示装置であって、
前記第１の表示パネル、前記第２の表示パネルおよび前記第３の表示パネルのそれぞれは、一対の基板を備え、
前記第１の表示パネル、前記第２の表示パネルおよび前記第３の表示パネルのそれぞれは、第１の領域と、第２の領域と、第３の領域と、を有し、
前記第１の領域は、可視光を透過することができる領域を有し、
前記第２の領域は、可視光を遮断することができる領域を有し、
前記第３の領域は、表示を行うことができる領域を有し、
前記第１の表示パネル、前記第２の表示パネルおよび前記第３の表示パネルのそれぞれは、前記第３の領域において、発光素子を有し、
前記第１の表示パネル、前記第２の表示パネルおよび前記第３の表示パネルのそれぞれは、前記第２の領域において、前記第３の領域の外周の一部に沿って設けられた配線を有し、
前記第１の表示パネル、前記第２の表示パネルおよび前記第３の表示パネルのそれぞれは、前記第１の領域において、前記第３の領域の前記外周の他の一部に沿って設けられた封止材を有し、
前記第１の領域は、１ｍｍ以上１００ｍｍ以下の幅である領域を有し、
前記第１の表示パネルの前記第３の領域と、前記第２の表示パネルの前記第１の領域とは、互いに重なるように設けられている領域を有し、
前記第１の表示パネルの前記第３の領域と、前記第２の表示パネルの前記第２の領域とは、互いに重ならないように設けられている領域を有し、
前記第１の表示パネルの前記第３の領域と、前記第３の表示パネルの前記第１の領域とは、互いに重なるように設けられている領域を有し、
前記第１の表示パネルの前記第３の領域と、前記第３の表示パネルの前記第２の領域とは、互いに重ならないように設けられている領域を有し、
前記第２の表示パネルの前記第３の領域と、前記第３の表示パネルの前記第２の領域とは、互いに重ならないように設けられている領域を有する、
表示装置。
【請求項４】
請求項１乃至請求項３のいずれか一において、
前記一対の基板のそれぞれは可撓性を有する、
表示装置。
【請求項５】
請求項１乃至請求項４のいずれか一において、
前記第１の表示パネルは、ＦＰＣを有し、
前記ＦＰＣと、前記第１の表示パネルの前記第２の領域とは、互いに重なる領域を有し、
前記ＦＰＣと、前記第２の表示パネルの前記第３の領域とは、互いに重なる領域を有し、
前記ＦＰＣは、前記第２の表示パネルの表示面側とは反対側に設けられている、
表示装置。
【請求項６】
請求項１乃至請求項５のいずれか一において、
層を有し、
前記層は、樹脂材料を有し、
前記層と、前記第１の表示パネルの第３の領域とは、互いに重なる領域を有し、
前記層と、前記第２の表示パネルの第３の領域とは、互いに重なる領域を有し、
前記層は、第１の屈折率である部分を有し、
前記一対の基板のうち表示面側の基板は、第２の屈折率である部分を有し、
前記第１の屈折率と前記第２の屈折率との差は、１０％以下である、
表示装置。
【請求項７】
請求項１乃至請求項６のいずれか一に記載の表示装置と、
タッチセンサと、を有する、
表示モジュール。
【請求項８】
請求項１乃至請求項６のいずれか一に記載の表示装置を有する表示モジュールであって、
第１の無線モジュールと、第２の無線モジュールと、を有し、
前記第１の無線モジュールは、受信した無線信号から第１の信号を抽出することができる機能と、前記第１の信号を第１の表示パネルに供給することができる機能と、を有し、
前記第２の無線モジュールは、受信した前記無線信号から第２の信号を抽出することができる機能と、前記第２の信号を第２の表示パネルに供給することができる機能を有する、
表示モジュール。
【請求項９】
請求項１乃至請求項６のいずれか一に記載の表示装置、または、請求項７もしくは請求項８に記載の表示モジュールを有する建築物であって、
柱、または、壁を有し、
前記表示装置または前記表示モジュールは、前記柱、または、前記壁に設けられている、
建築物。
【請求項１０】
第１の表示パネルと、第２の表示パネルと、第３の表示パネルと、第１の支持体と、第２の支持体と、を有する電子機器であって、
前記第２の表示パネルは、可撓性を有し、
前記第１の表示パネル、前記第２の表示パネル、及び前記第３の表示パネルのそれぞれは、第１の領域と、第２の領域と、第３の領域と、を有し、
前記第１の領域は、可視光を透過する機能を有し、
前記第２の領域は、可視光を遮断する機能を有し、
前記第３の領域は、表示を行う機能を有し、
前記第１の表示パネルの前記第３の領域と、前記第２の表示パネルの前記第１の領域とは、互いに重なる第１の部分を有し、
前記第２の表示パネルの前記第３の領域と、前記第３の表示パネルの前記第１の領域とは、互いに重なる第２の部分を有し、
前記第１の表示パネルは、前記第１の支持体に支持される領域を有し、
前記第３の表示パネルは、前記第２の支持体に支持される領域を有し、
前記第１の支持体と前記第２の支持体は、前記第１の表示パネル、前記第２の表示パネル、及び前記第３の表示パネルが略同一平面に位置する展開状態と、前記第１の表示パネル及び前記第３の表示パネルが互いに重なる領域を有するように位置する折り畳み状態とに変形可能であり、
前記折り畳み状態において、前記第２の表示パネルの前記第３の領域が曲がる領域を有し、且つ前記第１の部分及び前記第２の部分は曲がらない領域を有する、
電子機器。
【請求項１１】
請求項１０において、
第１の表示パネルは、第１のＦＰＣを有し、
前記第１のＦＰＣと、前記第１の表示パネルの前記第２の領域とは、互いに重なる領域を有し、
前記第１のＦＰＣと、前記第２の表示パネルの前記第３の領域とは、互いに重なる領域を有し、
前記第１のＦＰＣは、前記第２の表示パネルの表示面側とは反対側に位置する、
電子機器。
【請求項１２】
請求項１０または請求項１１において、
前記第２の表示パネルは、第２のＦＰＣを有し、
前記第２のＦＰＣと、前記第２の表示パネルの前記第２の領域とは、互いに重なる領域を有し、
前記第２のＦＰＣと、前記第３の表示パネルの前記第３の領域とは、互いに重なる領域を有し、
前記第２のＦＰＣは、前記第３の表示パネルの表示面側とは反対側に位置する、
電子機器。
【請求項１３】
請求項１０乃至請求項１２のいずれか一において、
前記第１の表示パネル、前記第２の表示パネル、及び前記第３の表示パネルは、それぞれタッチセンサを有する、
電子機器。
【請求項１４】
請求項１３において、
前記タッチセンサは、トランジスタと、容量と、を有する、
電子機器。
【請求項１５】
請求項１４において、
前記トランジスタは、チャネルが形成される半導体に酸化物半導体を含む、
電子機器。
【発明の詳細な説明】
【技術分野】
【０００１】
本発明の一態様は、表示装置に関する。また本発明の一態様は、表示装置を備える電子機器に関する。
【０００２】
なお本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、照明装置、蓄電装置、記憶装置、それらの駆動方法、または、それらの製造方法、を一例として挙げることができる。
【背景技術】
【０００３】
近年、表示装置の大型化が求められている。例えば、家庭用のテレビジョン装置（テレビ、またはテレビジョン受信機ともいう）、デジタルサイネージ（Ｄｉｇｉｔａｌ  Ｓｉｇｎａｇｅ：電子看板）や、ＰＩＤ（Ｐｕｂｌｉｃ  Ｉｎｆｏｒｍａｔｉｏｎ  Ｄｉｓｐｌａｙ）などが挙げられる。また、デジタルサイネージや、ＰＩＤなどは、大型であるほど提供できる情報量を増やすことができ、また広告等に用いる場合には大型であるほど人の目につきやすく、広告の宣伝効果を高めることが期待される。
【０００４】
また、携帯機器用途においても、表示装置の大型化が求められている。表示装置の表示領域を大型化することで表示する情報量を増やし、表示の一覧性の向上を図ることが検討されている。
【０００５】
表示装置としては、代表的には有機ＥＬ（Ｅｌｅｃｔｒｏ  Ｌｕｍｉｎｅｓｃｅｎｃｅ）素子や発光ダイオード（ＬＥＤ：Ｌｉｇｈｔ  Ｅｍｉｔｔｉｎｇ  Ｄｉｏｄｅ）等の発光素子を備える発光装置、液晶表示装置、電気泳動方式などにより表示を行う電子ペーパなどが挙げられる。
【０００６】
例えば、有機ＥＬ素子の基本的な構成は、一対の電極間に発光性の有機化合物を含む層を挟持したものである。この素子に電圧を印加することにより、発光性の有機化合物から発光を得ることができる。このような有機ＥＬ素子が適用された表示装置は、液晶表示装置等で必要であったバックライトが不要なため、薄型、軽量、高コントラストで且つ低消費電力な表示装置を実現できる。例えば、有機ＥＬ素子を用いた表示装置の一例が、特許文献１に開示されている。
【０００７】
また、特許文献２には、フィルム基板上に、スイッチング素子であるトランジスタや有機ＥＬ素子を備えたフレキシブルなアクティブマトリクス型の発光装置が開示されている。
【先行技術文献】
【特許文献】
【０００８】
【特許文献１】特開２００２−３２４６７３号公報
【特許文献２】特開２００３−１７４１５３号公報
【発明の概要】
【発明が解決しようとする課題】
【０００９】
本発明の一態様は、大型化に適した表示装置を提供することを課題の一とする。または、本発明の一態様は、表示ムラの抑制された表示装置を提供することを課題の一とする。または、本発明の一態様は、曲面に沿って表示することの可能な表示装置を提供することを課題の一とする。
【００１０】
または、一覧性に優れた電子機器を提供することを課題の一とする。または、可搬性に優れた電子機器を提供することを課題の一とする。
【００１１】
または、新規な表示装置を提供することを課題の一とする。または、新規な電子機器を提供することを課題の一とする。
【００１２】
なお、これらの課題の記載は、他の課題の存在を妨げるものではない。本発明の一態様は、これらの課題の全てを解決する必要はないものとする。また、上記以外の課題は、明細書等の記載から自ずと明らかになるものであり、明細書等の記載から上記以外の課題を抽出することが可能である。
【課題を解決するための手段】
【００１３】
本発明の一態様は、第１の表示パネルおよび第２の表示パネルを有する表示装置であって、第１の表示パネルおよび第２の表示パネルのそれぞれは、一対の基板を有し、第１の表示パネルおよび第２の表示パネルのそれぞれは、第１の領域と、第２の領域と、第３の領域と、を有し、第１の領域は、可視光を透過することができる領域を有し、第２の領域は、可視光を遮断することができる領域を有し、第３の領域は、表示を行うことができる領域を有し、第１の表示パネルの第３の領域と、第２の表示パネルの第１の領域とは、互いに重なるように設けられている領域を有し、第１の表示パネルの第３の領域と、第２の表示パネルの第２の領域とは、互いに重ならないように設けられている領域を有する。
【００１４】
また、上記において、第１の表示パネルおよび第２の表示パネルのそれぞれは、第３の領域において、発光素子を有し、第１の表示パネルおよび第２の表示パネルのそれぞれは、第２の領域において、第３の領域の外周の一部に沿って設けられた配線を有し、第１の表示パネルおよび第２の表示パネルのそれぞれは、第１の領域において、第３の領域の外周の他の一部に沿って設けられた封止材を有し、第１の領域は、１ｍｍ以上１００ｍｍ以下の幅である領域を有することが好ましい。
【００１５】
また、本発明の他の一態様は、第１の表示パネル、第２の表示パネルおよび第３の表示パネルを有する表示装置であって、第１の表示パネル、第２の表示パネルおよび第３の表示パネルのそれぞれは、一対の基板を備え、第１の表示パネル、第２の表示パネルおよび第３の表示パネルのそれぞれは、第１の領域と、第２の領域と、第３の領域と、を有し、第１の領域は、可視光を透過することができる領域を有し、第２の領域は、可視光を遮断することができる領域を有し、第３の領域は、表示を行うことができる領域を有し、第１の表示パネル、第２の表示パネルおよび第３の表示パネルのそれぞれは、第３の領域において、発光素子を有し、第１の表示パネル、第２の表示パネルおよび第３の表示パネルのそれぞれは、第２の領域において、第３の領域の外周の一部に沿って設けられた配線を有し、第１の表示パネル、第２の表示パネルおよび第３の表示パネルのそれぞれは、第１の領域において、第３の領域の外周の他の一部に沿って設けられた封止材を有し、第１の領域は、１ｍｍ以上１００ｍｍ以下の幅である領域を有し、第１の表示パネルの第３の領域と、第２の表示パネルの第１の領域とは、互いに重なるように設けられている領域を有し、第１の表示パネルの第３の領域と、第２の表示パネルの第２の領域とは、互いに重ならないように設けられている領域を有し、第１の表示パネルの第３の領域と、第３の表示パネルの第１の領域とは、互いに重なるように設けられている領域を有し、第１の表示パネルの第３の領域と、第３の表示パネルの第２の領域とは、互いに重ならないように設けられている領域を有し、第２の表示パネルの第３の領域と、第３の表示パネルの第２の領域とは、互いに重ならないように設けられている領域を有する。
【００１６】
また、上記一対の基板のそれぞれは可撓性を有することが好ましい。
【００１７】
また、上記第１の表示パネルは、ＦＰＣを有し、ＦＰＣと、第１の表示パネルの第２の領域とは、互いに重なる領域を有し、ＦＰＣと、第２の表示パネルの第３の領域とは、互いに重なる領域を有し、ＦＰＣは、第２の表示パネルの表示面側とは反対側に設けられていることが好ましい。
【００１８】
また、さらに層を有し、層は、樹脂材料を有し、層と、第１の表示パネルの第３の領域とは、互いに重なる領域を有し、層と、第２の表示パネルの第３の領域とは、互いに重なる領域を有し、層は、第１の屈折率である部分を有し、一対の基板のうち表示面側の基板は、第２の屈折率である部分を有し、第１の屈折率と第２の屈折率との差は、１０％以下であることが好ましい。
【００１９】
また、本発明の他の一態様は、上記いずれかの表示装置に加えてタッチセンサを有する表示モジュールである。
【００２０】
また、本発明の他の一態様は、上記いずれかの表示装置を有する表示モジュールであって、第１の無線モジュールと、第２の無線モジュールと、を有し、第１の無線モジュールは、受信した無線信号から第１の信号を抽出することができる機能と、第１の信号を第１の表示パネルに供給することができる機能と、を有し、第２の無線モジュールは、受信した無線信号から第２の信号を抽出することができる機能と、第２の信号を第２の表示パネルに供給することができる機能を有する。
【００２１】
また、本発明の他の一態様は、上記いずれかの表示装置、または、いずれかの表示モジュールを有する建築物であって、柱、または、壁を有し、表示装置または表示モジュールは、柱、または、壁に設けられている。
【００２２】
また、本発明の他の一態様は、第１の表示パネルと、第２の表示パネルと、第３の表示パネルと、第１の支持体と、第２の支持体と、を有する電子機器であって、第２の表示パネルは、可撓性を有し、第１の表示パネル、第２の表示パネル、及び第３の表示パネルのそれぞれは、第１の領域と、第２の領域と、第３の領域と、を有し、第１の領域は、可視光を透過する機能を有し、第２の領域は、可視光を遮断する機能を有し、第３の領域は、表示を行う機能を有し、第１の表示パネルの第３の領域と、第２の表示パネルの第１の領域とは、互いに重なる第１の部分を有し、第２の表示パネルの第３の領域と、第３の表示パネルの第１の領域とは、互いに重なる第２の部分を有し、第１の表示パネルは、第１の支持体に支持される領域を有し、第３の表示パネルは、第２の支持体に支持される領域を有し、第１の支持体と第２の支持体は、第１の表示パネル、第２の表示パネル、及び第３の表示パネルが略同一平面に位置する展開状態と、第１の表示パネル及び第３の表示パネルが互いに重なる領域を有するように位置する折り畳み状態とに変形可能であり、折り畳み状態において、第２の表示パネルの第３の領域が曲がる領域を有し、且つ第１の部分及び第２の部分は曲がらない領域を有することを特徴とする。
【００２３】
また上記において、第１の表示パネルは、第１のＦＰＣを有し、第１のＦＰＣと、第１の表示パネルの第２の領域とは、互いに重なる領域を有し、第１のＦＰＣと、第２の表示パネルの第３の領域とは、互いに重なる領域を有し、第１のＦＰＣは、第２の表示パネルの表示面側とは反対側に位置することが好ましい。
【００２４】
また上記において、第２の表示パネルは、第２のＦＰＣを有し、第２のＦＰＣと、第２の表示パネルの第２の領域とは、互いに重なる領域を有し、第２のＦＰＣと、第３の表示パネルの第３の領域とは、互いに重なる領域を有し、第２のＦＰＣは、第３の表示パネルの表示面側とは反対側に位置することが好ましい。
【００２５】
また上記において、第１の表示パネル、第２の表示パネル、及び第３の表示パネルは、それぞれタッチセンサを有することが好ましい。このとき、タッチセンサは、トランジスタと、容量と、を有することが好ましい。また、このときトランジスタは、チャネルが形成される半導体に酸化物半導体を含むことが好ましい。
【発明の効果】
【００２６】
本発明の一態様によれば、大型化に適した表示装置を提供できる。または、本発明の一態様は、表示ムラの抑制された表示装置を提供できる。または、本発明の一態様は、曲面に沿って表示することの可能な表示装置を提供できる。または、一覧性に優れた電子機器を提供できる。または、可搬性に優れた電子機器を提供できる。
【００２７】
または、新規な表示装置（表示パネル）、または電子機器を提供できる。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２８】
【図１】実施の形態に係る、表示装置を説明する図。
【図２】実施の形態に係る、表示装置を説明する図。
【図３】実施の形態に係る、表示装置を説明する図。
【図４】実施の形態に係る、表示装置を説明する図。
【図５】実施の形態に係る、表示装置を説明する図。
【図６】実施の形態に係る、表示パネルを説明する図。
【図７】実施の形態に係る、表示パネルを説明する図。
【図８】実施の形態に係る、表示パネルの位置関係を説明する図。
【図９】実施の形態に係る、表示装置の応用例を説明する図。
【図１０】実施の形態に係る、表示装置を備える電子機器の構成例を説明する図。
【図１１】実施の形態に係る、表示装置を備える電子機器の構成例を説明する図。
【図１２】実施の形態に係る、表示装置を備える電子機器の構成例を説明する図。
【図１３】実施の形態に係る、表示装置を備える電子機器の構成例を説明する図。
【図１４】実施の形態に係る、タッチパネルを説明する図。
【図１５】実施の形態に係る、タッチパネルを説明する図。
【図１６】実施の形態に係る、タッチパネルを説明する図。
【図１７】実施の形態に係る、入出力装置の構成を説明する投影図。
【図１８】実施の形態に係る、入出力装置の構成を説明する断面図。
【図１９】実施の形態に係る、検知回路及び変換器の構成および駆動方法を説明する図。
【図２０】電子機器および照明装置の一例を説明する図。
【図２１】電子機器の一例を説明する図。
【発明を実施するための形態】
【００２９】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３０】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３１】
なお、本明細書で説明する各図において、各構成の大きさ、層の厚さ、または領域は、明瞭化のために誇張されている場合がある。よって、必ずしもそのスケールに限定されない。
【００３２】
なお、本明細書等における「第１」、「第２」等の序数詞は、構成要素の混同を避けるために付すものであり、数的に限定するものではない。
【００３３】
（実施の形態１）
本実施の形態では、本発明の一態様の表示装置の構成例、及び応用例について、図面を参照して説明する。
【００３４】
［構成例１］
図１（Ａ）は、本発明の一態様の表示装置に含まれる表示パネル１００の上面概略図である。
【００３５】
表示パネル１００は表示領域１０１と、表示領域１０１に隣接して、可視光を透過する領域１１０と、可視光を遮光する領域１２０と、を備える。また、図１（Ａ）では、表示パネル１００にＦＰＣ（Ｆｌｅｘｉｂｌｅ  Ｐｒｉｎｔｅｄ  Ｃｉｒｃｕｉｔ）１１２が設けられている例を示す。
【００３６】
表示領域１０１は、マトリクス状に配置された複数の画素を含み、画像を表示することが可能である。各画素には一つ以上の表示素子が設けられている。表示素子としては、代表的には有機ＥＬ素子などの発光素子、または液晶素子等を用いることができる。
【００３７】
領域１１０には、例えば表示パネル１００を構成する一対の基板、及び当該一対の基板に挟持された表示素子を封止するための封止材などが設けられていてもよい。このとき、領域１１０に設けられる部材には、可視光に対して透光性を有する材料を用いる。
【００３８】
領域１２０には、例えば表示領域１０１に含まれる画素に電気的に接続する配線が設けられている。また、このような配線に加え、画素を駆動するための駆動回路（走査線駆動回路、信号線駆動回路等）が設けられていてもよい。また、領域１２０にはＦＰＣ１１２と電気的に接続する端子（接続端子ともいう）や、当該端子と電気的に接続する配線等が設けられていてもよい。
【００３９】
本発明の一態様の表示装置１０は、上述した表示パネル１００を複数備える。図１（Ｂ）では、３つの表示パネルを備える表示装置１０の上面概略図を示す。
【００４０】
なお、以降では各々の表示パネル同士、各々の表示パネルに含まれる構成要素同士、または各々の表示パネルに関連する構成要素同士を区別するために、符号の後にアルファベットを付記して説明する。また特に説明のない場合には、最も下側（表示面側とは反対側）に配置される表示パネルまたは構成要素に対して「ａ」を付記し、その上側に順に配置される一以上の表示パネルおよびその構成要素に対しては、符号の後に「ｂ」以降のアルファベットをアルファベット順に付記することとする。また特に説明のない限り、複数の表示パネルを備える構成を説明する場合であっても、各々の表示パネルまたは構成要素に共通する事項を説明する場合には、アルファベットを省略して説明する。
【００４１】
図１（Ｂ）に示す表示装置１０は、表示パネル１００ａ、表示パネル１００ｂ、及び表示パネル１００ｃを備える。
【００４２】
表示パネル１００ｂは、その一部が表示パネル１００ａの上側（表示面側）に重ねて配置されている。具体的には、表示パネル１００ａの表示領域１０１ａの一部と表示パネル１００ｂの可視光を透過する領域１１０ｂとが重畳し、且つ、表示パネル１００ａの表示領域１０１ａと表示パネル１００ｂの可視光を遮光する領域１２０ｂとが重畳しないように配置されている。
【００４３】
また、表示パネル１００ｃは、その一部が表示パネル１００ｂの上側（表示面側）に重ねて配置されている。具体的には、表示パネル１００ｂの表示領域１０１ｂの一部と表示パネル１００ｃの可視光を透過する領域１１０ｃとが重畳し、且つ、表示パネル１００ｂの表示領域１０１ｂと表示パネル１００ｃの可視光を遮光する領域１２０ｃとが重畳しないように配置されている。
【００４４】
表示領域１０１ａ上には可視光を透過する領域１１０ｂが重畳するため、表示領域１０１ａの全体を表示面側から視認することが可能となる。同様に、表示領域１０１ｂも領域１１０ｃが重畳することでその全体を表示面側から視認することができる。したがって、表示領域１０１ａ、表示領域１０１ｂおよび表示領域１０１ｃが継ぎ目なく配置された領域（図１（Ｂ）中の破線で囲った領域）を表示装置１０の表示領域１１とすることが可能となる。
【００４５】
ここで、図１（Ａ）に示す領域１１０の幅Ｗは、０．５ｍｍ以上１５０ｍｍ以下、好ましくは１ｍｍ以上１００ｍｍ以下、より好ましくは２ｍｍ以上５０ｍｍ以下とすることが好ましい。領域１１０は封止領域としての機能を有するため、領域１１０の幅Ｗが大きいほど表示パネル１００の端面と表示領域１０１との距離を長くすることができ、外部から水などの不純物が表示領域１０１にまで侵入することを効果的に抑制することが可能となる。特に本構成例では表示領域１０１に隣接して領域１１０が設けられるため、領域１１０の幅Ｗを適切な値に設定することが重要である。例えば、表示素子として有機ＥＬ素子を用いた場合には領域１１０の幅Ｗを１ｍｍ以上とすることで、有機ＥＬ素子の劣化を効果的に抑制することができる。なお、領域１１０ではない他の部分においても、表示領域１０１の端部と表示パネル１００の端面との距離が上述の範囲になるように設定することが好ましい。
【００４６】
［構成例２］
図１（Ｂ）では一方向に複数の表示パネル１００を重ねて配置する構成を示したが、縦方向および横方向の二方向に複数の表示パネル１００を重ねて配置してもよい。
【００４７】
図２（Ａ）は、図１（Ａ）とは領域１１０の形状が異なる表示パネル１００の例を示している。図２（Ａ）に示す表示パネル１００は、表示領域１０１の隣接する２辺に沿って領域１１０が配置されている。
【００４８】
図２（Ｂ）には、図２（Ａ）に示した表示パネル１００を縦２つ、横２つ配置した表示装置１０の斜視概略図を示している。また図２（Ｃ）は、表示装置１０の表示面側とは反対側から見たときの斜視概略図である。
【００４９】
図２（Ｂ）、（Ｃ）において、表示パネル１００ａの表示領域１０１ａの短辺に沿った領域と、表示パネル１００ｂの領域１１０ｂの一部が重畳して設けられている。また表示パネル１００ａの表示領域１０１ａの長辺に沿った領域と、表示パネル１００ｃの領域１１０ｃの一部が重畳して設けられている。また表示パネル１００ｄの領域１１０ｄは、表示パネル１００ｂの表示領域１０１ｂの長辺に沿った領域、及び表示パネル１００ｃの表示領域１０１ｃの短辺に沿った領域に重畳して設けられている。
【００５０】
したがって、図２（Ｂ）に示すように、表示領域１０１ａ、表示領域１０１ｂ、表示領域１０１ｃおよび表示領域１０１ｄが継ぎ目なく配置された領域を表示装置１０の表示領域１１とすることが可能となる。
【００５１】
ここで、表示パネル１００に用いる一対の基板に可撓性を有する材料を用い、表示パネル１００が可撓性を有していることが好ましい。こうすることで、例えば図２（Ｂ）、（Ｃ）中の表示パネル１００ａに示すように、ＦＰＣ１１２ａ等が表示面側に設けられる場合にＦＰＣ１１２ａが設けられる側の表示パネル１００ａの一部を湾曲させ、ＦＰＣ１１２ａを隣接する表示パネル１００ｂの表示領域１０１ｂの下側にまで重畳するように配置することができる。その結果、ＦＰＣ１１２ａを表示パネル１００ｂの裏面と物理的に干渉することなく配置することができる。また、表示パネル１００ａと表示パネル１００ｂとを重ねて接着する際に、ＦＰＣ１１２ａの厚さを考慮する必要がないため、表示パネル１００ｂの領域１１０ｂの上面と、表示パネル１００ａの表示領域１０１ａの上面との高さの差を低減できる。その結果、表示領域１０１ａ上に位置する表示パネル１００ｂの端部が視認されてしまうことを抑制できる。
【００５２】
さらに、各表示パネル１００に可撓性を持たせることで、表示パネル１００ｂの表示領域１０１ｂにおける上面の高さを、表示パネル１００ａの表示領域１０１ａにおける上面の高さと一致するように、表示パネル１００ｂを緩やかに湾曲させることができる。そのため、表示パネル１００ａと表示パネル１００ｂとが重畳する領域近傍を除き、各表示領域の高さを揃えることが可能で、表示装置１０の表示領域１１に表示する画像の表示品位を高めることができる。
【００５３】
上記では、表示パネル１００ａと表示パネル１００ｂの関係を例に説明したが、隣接する２つの表示パネル間でも同様である。
【００５４】
また、隣接する２つの表示パネル１００間の段差を軽減するため、表示パネル１００の厚さは薄いほうが好ましい。例えば表示パネル１００の厚さを１ｍｍ以下、好ましくは３００μｍ以下、より好ましくは１００μｍ以下とすることが好ましい。
【００５５】
図３（Ａ）は、図２（Ｂ）、（Ｃ）に示す表示装置１０を表示面側から見た上面概略図である。
【００５６】
ここで、一つの表示パネル１００の領域１１０の可視光（例えば４００ｎｍ以上７００ｎｍ以下の波長の光を含む光）に対する透過率を十分に高められない場合には、表示領域１０１と重なる表示パネル１００の枚数に応じて、表示する画像の輝度が低下してしまう恐れがある。たとえば、図３（Ａ）中の領域Ａでは、表示パネル１００ａの表示領域１０１ａ上に１枚の表示パネル１００ｃが重畳している。また、領域Ｂでは、表示パネル１００ｂの表示領域１０１ｂ上に、表示パネル１００ｃ、１００ｄの計２枚の表示パネル１００が重なっている。そして領域Ｃでは、表示パネル１００ａの表示領域１０１ａ上に表示パネル１００ｂ、表示パネル１００ｃおよび表示パネル１００ｄの計３枚の表示パネル１００が重畳している。
【００５７】
このような場合に、表示領域１０１上に重ねられる表示パネル１００の枚数に応じて、画素の階調を局所的に高めるような補正を、表示させる画像データに対して施すことが好ましい。こうすることで、表示装置１０の表示領域１１に表示される画像の表示品位の低下を抑制することが可能となる。
【００５８】
また、上部に配置する表示パネル１００の位置をずらすことで、下部の表示パネル１００の表示領域１０１上に重なる表示パネル１００の枚数を低減することもできる。
【００５９】
図３（Ｂ）では、表示パネル１００ａおよび表示パネル１００ｂ上に配置する表示パネル１００ｃおよび表示パネル１００ｄを一方向（Ｘ方向）に領域１１０の幅Ｗの距離だけ相対的にずらして配置した場合を示している。このとき、一つの表示パネル１００の表示領域１０１上に１つの表示パネル１００が重ねられた領域Ｄと、２つの表示パネル１００が重ねられた領域Ｅの２種類が存在する。
【００６０】
なお、表示パネル１００をＸ方向に対して直交する方向（Ｙ方向）に相対的にずらして配置してもよい。
【００６１】
なお、上部に位置する表示パネル１００を相対的にずらして配置する場合には、各表示パネル１００の表示領域１０１を組み合わせた領域の輪郭が矩形形状とは異なる形状となる。そのため、図３（Ｂ）で示すように表示装置１０の表示領域１１を矩形にする場合には、これよりも外側に位置する表示パネル１００の表示領域１０１に画像を表示しないように表示装置１０を駆動すればよい。このとき、画像を表示しない領域における画素の数を考慮し、矩形の表示領域１１の全画素数を表示パネル１００の枚数で割った数よりも多くの画素を、表示パネル１００の表示領域１０１に設ければよい。
【００６２】
なお、上記では、各々の表示パネル１００を相対的にずらす場合の距離を、領域１１０の幅Ｗの整数倍としたがこれに限られず、表示パネル１００の形状やこれを組み合わせた表示装置１０の表示領域１１の形状などを考慮して適宜設定すればよい。
【００６３】
本発明の一態様の表示装置１０は、表示パネル１００を際限なくつなぎ合わせることが可能で、表示領域１１の大きさを上限なく拡大することが可能である。例えば、家庭用に用いる場合には、表示領域１１の大きさを対角２０インチ以上１００インチ以下、好ましくは対角４０インチ以上９０インチ以下などとすればよい。またタブレット端末等の携帯型の電子機器に適用する場合には、表示領域１１の大きさを対角５インチ以上３０インチ以下、好ましくは１０インチ以上２０インチ以下などとすればよい。また大型の商用看板等に用いる場合には、表示領域１１の大きさを対角８０インチ以上、１００インチ以上、２００インチ以上とすることもできる。
【００６４】
また、本発明の一態様の表示装置１０は、表示領域１１の解像度（画素数）を上限なく増大させることが可能である。例えば表示領域１１の解像度をＨＤ（画素数１２８０×７２０）、ＦＨＤ（画素数１９２０×１０８０）、ＷＱＨＤ（画素数２５６０×１４４０）、ＷＱＸＧＡ（画素数２５６０×１６００）、４Ｋ（画素数３８４０×２１６０）、８Ｋ（画素数７６８０×４３２０）などのように、規格化された解像度に調整することが好ましい。特に、４Ｋ、より好ましくは８Ｋまたはそれ以上の高解像度の表示装置とすることが好ましい。携帯型や家庭用途などのパーソナルユースにおいては、解像度が高いほどより精細度が高まるため、臨場感や奥行き感などを高めることが可能となる。また、商用看板等に用いる場合には、解像度が高いほど表示可能な情報を増やすことが可能となる。
【００６５】
［断面構成例］
図４（Ａ）は、２つの表示パネル１００を貼り合せた際の断面概略図である。図４（Ａ）では、ＦＰＣ１１２ａが表示パネル１００ａの表示面側に、またＦＰＣ１１２ｂが表示パネル１００ｂの表示面側に、それぞれ接続されている構成を示している。
【００６６】
また、図４（Ｂ）に示すように、ＦＰＣ１１２ａおよびＦＰＣ１１２ｂが表示パネル１００ａまたは表示パネル１００ｂの表示面側とは反対側に接続される構成としてもよい。このような構成とすることで、下側に配置される表示パネル１００ａの端部を表示パネル１００ｂの裏面に貼り付けることが可能なため、これらの接着面積を大きくでき、貼り合せ部分の機械的強度を高めることができる。
【００６７】
また、図４（Ｃ）および図４（Ｄ）に示すように、表示パネル１００ａおよび表示パネル１００ｂの上面を覆って、透光性を有する樹脂層１３１を設ける構成としてもよい。具体的には、表示パネル１００ａおよび表示パネル１００ｂの各々の表示領域と、表示パネル１００ａと表示パネル１００ｂとが重畳する領域とを覆って、樹脂層１３１を設けることが好ましい。
【００６８】
樹脂層１３１を複数の表示パネル１００に亘って設けることで、表示装置１０の機械的強度を高めることができる。また、樹脂層１３１の表面が平坦になるように形成すると、表示領域１１に表示される画像の表示品位を高めることができる。例えば、スリットコータ、カーテンコータ、グラビアコータ、ロールコータ、スピンコータなどのコーティング装置を用いると、平坦性の高い樹脂層１３１を形成することができる。
【００６９】
また樹脂層１３１は、表示パネル１００の表示面側に用いる基板との屈折率の差が２０％以下、好ましくは１０％以下、より好ましくは５％以下であることが好ましい。このような屈折率を有する樹脂層１３１を用いることで、表示パネル１００と樹脂との屈折率段差を低減し、光を効率よく外部に取り出すことができる。また、このような屈折率を有する樹脂層１３１を表示パネル１００ａと表示パネル１００ｂとの段差部を覆うように設けることで、当該段差部が視認しにくくなるため、表示装置１０の表示領域１１に表示される画像の表示品位を高めることができる。
【００７０】
樹脂層１３１に用いる材料としては、例えば、エポキシ樹脂、アラミド樹脂、アクリル樹脂、ポリイミド樹脂、ポリアミド樹脂、ポリアミドイミド樹脂等の有機樹脂膜を用いることができる。
【００７１】
また、図５（Ａ）、（Ｂ）に示すように、樹脂層１３１を介して表示装置１０上に保護基板１３２を設けることが好ましい。このとき、樹脂層１３１は表示装置１０と保護基板１３２とを接着する接着層としての機能を有していてもよい。保護基板１３２により、表示装置１０の表面を保護するだけでなく、表示装置１０の機械的強度を高めることができる。保護基板１３２としては、少なくとも表示領域１１と重なる領域に透光性を有する材料を用いる。また、保護基板１３２は表示領域１１と重なる領域以外の領域が視認されないように、遮光性を備えていてもよい。
【００７２】
保護基板１３２は、タッチパネルとしての機能を有していてもよい。また表示パネル１００が可撓性を有し、湾曲可能な場合には、保護基板１３２も同様に可撓性を有していることが好ましい。
【００７３】
また、保護基板１３２は、表示パネル１００の表示面側に用いる基板、または樹脂層１３１との屈折率の差が２０％以下、好ましくは１０％以下、より好ましくは５％以下であることが好ましい。
【００７４】
保護基板１３２としては、フィルム状のプラスチック基板、例えば、ポリイミド（ＰＩ）、アラミド、ポリエチレンテレフタレート（ＰＥＴ）、ポリエーテルスルホン（ＰＥＳ）、ポリエチレンナフタレート（ＰＥＮ）、ポリカーボネート（ＰＣ）、ナイロン、ポリエーテルエーテルケトン（ＰＥＥＫ）、ポリスルホン（ＰＳＦ）、ポリエーテルイミド（ＰＥＩ）、ポリアリレート（ＰＡＲ）、ポリブチレンテレフタレート（ＰＢＴ）、シリコーン樹脂などのプラスチック基板、またはガラス基板を用いることができる。また、保護基板１３２は、可撓性を有することが好ましい。また、保護基板１３２は、繊維なども含み、例えばプリプレグなども含むものとする。また、保護基板１３２は、樹脂フィルムに限定されず、パルプを連続シート加工した透明な不織布や、フィブロインと呼ばれるたんぱく質を含む人工くも糸繊維を含むシートや、これらと樹脂とを混合させた複合体、繊維幅が４ｎｍ以上１００ｎｍ以下のセルロース繊維からなる不織布と樹脂膜の積層体、人工くも糸繊維を含むシートと樹脂膜の積層体を用いてもよい。
【００７５】
また、図５（Ｃ）、（Ｄ）に示すように、表示パネル１００ａおよび表示パネル１００ｂの表示面とは反対側の面に樹脂層１３３と、樹脂層１３３を介して保護基板１３４を設ける構成としてもよい。このように、表示パネル１００ａおよび表示パネル１００ｂを２枚の保護基板によって挟む構成とすることで、表示装置１０の機械的強度をさらに高めることができる。また樹脂層１３１および樹脂層１３３を同等の厚さとし、保護基板１３２および保護基板１３４に同一の厚さの材料を用いることで、複数の表示パネル１００をこれら積層体の中央部に配置することができる。例えば表示パネル１００を含む積層体を湾曲させる際には、表示パネル１００が厚さ方向における中央部に位置することで、湾曲に伴って表示パネル１００にかかる横方向の応力が緩和され、破損を防止することができる。
【００７６】
また、図５（Ｃ）、（Ｄ）に示すように、表示パネル１００ａおよび表示パネル１００ｂの裏面側に配置される樹脂層１３３および保護基板１３４には、ＦＰＣ１１２ａを取り出すための開口部を設けることが好ましい。またこのとき、樹脂層１３３をＦＰＣ１１２ａの一部を覆って設けると、表示パネル１００ａとＦＰＣ１１２ａとの接続部における機械的強度を高めることができ、ＦＰＣ１１２ａが剥がれてしまうなどの不具合を抑制できる。同様に、ＦＰＣ１１２ｂの一部を覆って樹脂層１３３を設けることが好ましい。
【００７７】
なお、表示面とは反対側に設けられる樹脂層１３３および保護基板１３４は、必ずしも透光性を有している必要はなく、可視光を吸収または反射する材料を用いてもよい。樹脂層１３３と樹脂層１３１、または保護基板１３４と保護基板１３２に同一の材料を共通して用いると、作製コストを低減することができる。
【００７８】
［表示領域の構成例］
続いて、表示パネル１００の表示領域１０１の構成例について説明する。図６（Ａ）は図２（Ａ）における領域Ｐを拡大した上面概略図であり、図６（Ｂ）は領域Ｑを拡大した上面概略図である。
【００７９】
図６（Ａ）に示すように、表示領域１０１には複数の画素１４１がマトリクス状に配置されている。赤、青、緑の３色を用いてフルカラー表示が可能な表示パネル１００とする場合では、画素１４１は上記３色のうちいずれかを表示することのできる画素とする。または上記３色に加えて白や黄色を表示することのできる画素を設けてもよい。画素１４１を含む領域が表示領域１０１に相当する。
【００８０】
一つの画素１４１には配線１４２ａおよび配線１４２ｂが電気的に接続されている。複数の配線１４２ａのそれぞれは配線１４２ｂと交差し、回路１４３ａと電気的に接続されている。また複数の配線１４２ｂは回路１４３ｂと電気的に接続されている。回路１４３ａおよび回路１４３ｂのうち一方が走査線駆動回路として機能する回路であり、他方が信号線駆動回路として機能する回路とすることができる。なお、回路１４３ａおよび回路１４３ｂのいずれか一方、または両方を設けない構成としてもよい。
【００８１】
図６（Ａ）では、回路１４３ａまたは回路１４３ｂに電気的に接続する複数の配線１４５が設けられている。配線１４５は、図示しない領域でＦＰＣ１２３と電気的に接続され、外部からの信号を回路１４３ａおよび回路１４３ｂに供給する機能を有する。
【００８２】
図６（Ａ）において、回路１４３ａ、回路１４３ｂ、複数の配線１４５を含む領域が、可視光を遮光する領域１２０に相当する。
【００８３】
図６（Ｂ）において、最も端に設けられる画素１４１よりも外側の領域が可視光を透過する領域１１０に相当する。領域１１０は、画素１４１、配線１４２ａおよび配線１４２ｂ等の可視光を遮光する部材を有していない。なお、画素１４１の一部、配線１４２ａまたは配線１４２ｂが可視光に対して透光性を有する場合には、領域１１０にまで延在して設けられていてもよい。
【００８４】
ここで、領域１１０の幅Ｗは、表示パネル１００に設けられる領域１１０のうち、最も狭い幅を指す場合もある。表示パネル１００の幅Ｗが場所によって異なる場合には、最も短い長さを幅Ｗとすることができる。なお、図６（Ｂ）では画素１４１から基板の端面までの距離（すなわち領域１１０の幅Ｗ）が、図面縦方向と横方向とで同一である場合を示している。
【００８５】
図６（Ｃ）は図６（Ｂ）中の切断線Ａ１−Ａ２における断面概略図である。表示パネル１００は、それぞれ透光性を有する一対の基板（基板１５１、基板１５２）を有する。また基板１５１と基板１５２は接着層１５３によって接着されている。ここで、画素１４１や配線１４２ｂ等が形成されている側の基板を基板１５１とする。
【００８６】
図６（Ｂ）、（Ｃ）に示すように、画素１４１が表示領域１０１の最も端に位置する場合には、可視光を透過する領域１１０の幅Ｗは、基板１５１または基板１５２の端部から画素１４１の端部までの長さとなる。
【００８７】
なお、画素１４１の端部とは、画素１４１に含まれる可視光を遮光する部材のうち、最も端に位置する部材の端部を指す。または、画素１４１として一対の電極間に発光性の有機化合物を含む層を備える発光素子（有機ＥＬ素子ともいう）を用いた場合には、画素１４１の端部は下部電極の端部、発光性の有機化合物を含む層の端部、上部電極の端部のいずれかであってもよい。
【００８８】
図７（Ａ）には、図６（Ｂ）に対して、配線１４２ａの位置が異なる場合について示している。また図７（Ｂ）は図７（Ａ）中の切断線Ｂ１−Ｂ２における断面概略図であり、図７（Ｃ）は図７（Ａ）中の切断線Ｃ１−Ｃ２における断面概略図である。
【００８９】
図７（Ａ）、（Ｂ）、（Ｃ）に示すように、表示領域１０１の最も端に配線１４２ａが位置する場合には、可視光を透過する領域１１０の幅Ｗは、基板１５１または基板１５２の端部から配線１４２ａの端部までの長さとなる。なお、配線１４２ａが可視光に対して透光性を有する場合には、配線１４２ａが設けられる領域は領域１１０に含まれていてもよい。
【００９０】
ここで、表示パネル１００の表示領域１０１に設けられる画素の密度が高い場合、２つの表示パネル１００を貼り合せた際に、位置ずれが生じてしまう場合がある。
【００９１】
図８（Ａ）は、下部に設けられる表示パネル１００ａの表示領域１０１ａと、上部に設けられる表示パネル１００ｂの表示領域１０１ｂとの、表示面側から見たときの位置関係を示す図である。図８（Ａ）には表示領域１０１ａおよび表示領域１０１ｂのそれぞれの角部近傍を示している。表示領域１０１ａの一部が、領域１１０ｂによって覆われている。
【００９２】
図８（Ａ）に示す例では、隣接する画素１４１ａと画素１４１ｂとが相対的に一方向（Ｙ方向）にずれた場合を示している。図中に示す矢印は、表示パネル１００ａが表示パネル１００ｂに対してずれた方向を示している。また、図８（Ｂ）に示す例では、隣接する画素１４１ａと画素１４１ｂとが相対的に縦方向および横方向（Ｘ方向およびＹ方向）の両方にずれた場合を示している。
【００９３】
図８（Ａ）および図８（Ｂ）に示す例では、横方向にずれた距離と縦方向にずれた距離がそれぞれ１画素分よりも小さい。このような場合は、表示領域１０１ａまたは表示領域１０１ｂのいずれか一方に表示する画像の画像データに対し、当該ずれの距離に応じた補正を掛けることで表示品位を保つことが可能となる。具体的には、画素間の距離が小さくなるずれの場合には画素の階調（輝度）を低くするように補正し、画素間の距離が大きくなるずれの場合には、画素の階調（輝度）を高めるように補正すればよい。また、２つの画素が重なる場合には、下部に位置する画素を駆動しないように画像データを一列分シフトさせるように補正すればよい。
【００９４】
図８（Ｃ）では、本来隣接するはずであった画素１４１ａと画素１４１ｂとが、相対的に一方向（Ｙ方向）に１画素分以上の距離でずれた例を示している。このように、１画素分の距離以上のずれが生じた場合には、突出した画素（ハッチングを付加した画素）を表示しないように駆動すればよい。なお、ずれの方向がＸ方向の場合でも同様である。
【００９５】
なお、複数の表示パネル１００を貼り合せる際には、位置ずれを抑制するように各々の表示パネル１００に位置合わせのためのマーカー等を設けることが好ましい。または、表示パネル１００の表面に凸部および凹部を形成し、２つの表示パネル１００が重なる領域で当該凸部と凹部とをはめ合わせる（嵌合させる）構成としてもよい。
【００９６】
また、位置ずれの精度を考慮して、表示パネル１００の表示領域１０１にはあらかじめ使用する画素よりも多くの画素を配置しておくことが好ましい。例えば走査線に沿った画素列、または信号線に沿った画素列のうち、少なくとも一方を、１列以上、好ましくは３列以上、より好ましくは５列以上、表示に用いる画素列よりも余分に設けておくことが好ましい。
【００９７】
［応用例１］
本発明の一態様の表示装置１０は、表示パネル１００の数を増やすことにより、表示領域１１の面積を上限なく大きくすることが可能である。したがって、表示装置１０はデジタルサイネージやＰＩＤなど、大きな画像を表示する用途に好適に用いることができる。
【００９８】
図９（Ａ）では、柱１５や壁１６に、本発明の一態様の表示装置１０を適用した例を示している。表示装置１０に用いる表示パネル１００として、可撓性を有する表示パネルを用いることで、曲面に沿って表示装置１０を設置することが可能となる。
【００９９】
ここで、表示装置１０に用いる表示パネル１００の数が増えるほど、各々を駆動する信号を供給するための配線基板の規模が大きくなってしまう。さらに、表示装置１０の面積が大きいほど長い配線が必要となるため信号の遅延が生じやすく、表示品位に悪影響を及ぼしてしまう場合がある。
【０１００】
そこで、表示装置１０が備える複数の表示パネル１００の各々に、表示パネル１００を駆動する信号を供給する無線モジュールを設ける構成とすることが好ましい。
【０１０１】
図９（Ｂ）には、円柱状の柱１５の表面に表示装置１０を設置した場合の断面の例を示している。複数の表示パネル１００を備える表示装置１０は、内装部材２１と外装部材２２との間に配置され、柱１５の表面に沿って湾曲している。
【０１０２】
一つの表示パネル１００はＦＰＣ１１２を介して無線モジュール１５０と電気的に接続されている。表示パネル１００は、内装部材２１と外装部材２２との間に設けられた支持部材２３の上面側に支持され、無線モジュール１５０は支持部材２３の下面側に配置されている。表示パネル１００と無線モジュール１５０とは、支持部材２３に設けられた開口部を介してＦＰＣ１１２によって電気的に接続されている。
【０１０３】
また、図９（Ｂ）では外装部材２２の一部に遮光部２６を備える構成を示している。遮光部２６を、表示装置１０の表示領域以外の領域を覆うように設けることで、当該領域が観察者に視認されない構成とすることができる。
【０１０４】
無線モジュール１５０は、柱１５の内部または外部に設けられたアンテナ２５から送信された無線信号２７を受信する。また当該無線信号２７から表示パネル１００を駆動するための信号を抽出し、この信号を表示パネル１００に供給する機能を有する。表示パネル１００を駆動するための信号としては、電源電位、同期信号（クロック信号）、画像信号等がある。
【０１０５】
例えば、各無線モジュール１５０にはそれぞれ固有番号が割り当てられている。またアンテナ２５から送信される無線信号２７には、固有番号を指定する信号と表示パネル１００を駆動するための信号を含む。各無線モジュール１５０は無線信号２７に含まれる固有番号が自己の固有番号に一致するときに、表示パネル１００を駆動するための信号を受信し、これを表示パネル１００にＦＰＣ１１２を介して供給することで、各表示パネル１００に異なる画像を表示させることができる。
【０１０６】
無線モジュール１５０は、無線信号２７から電力を供給されるアクティブ型の無線モジュールであってもよいし、バッテリ等を内蔵したパッシブ型の無線モジュールであってもよい。パッシブ型の無線モジュールの場合、電磁誘導方式、磁界共鳴方式、電波方式等を用いた電力の授受（非接触電力伝送、無接点電力伝送あるいはワイヤレス給電などともいう）により、内蔵したバッテリを充電可能な構成としてもよい。
【０１０７】
このような構成とすることで、大型の表示装置１０であっても各表示パネル１００を駆動するための信号に遅延が生じず、表示品位を高めることができる。また、無線信号２７によって駆動するため、表示装置１０を壁や柱に設置する際に、壁や柱に配線を通すための工事などが不要であり、あらゆる場所に容易に表示装置１０を設置することが可能となる。同様に、表示装置１０の設置箇所を変更することも容易である。
【０１０８】
なお、上記では１つの表示パネル１００につき１つの無線モジュール１５０を接続する構成としたが、２以上の表示パネル１００につき１つの無線モジュール１５０を接続してもよい。
【０１０９】
例えば、本発明の一態様の表示装置は少なくとも２つの表示パネルを有していればよく、さらに、受信した無線信号から第１の信号を抽出し、これを第１の表示パネルに供給する第１の無線モジュールと、当該無線信号から第２の信号を抽出し、これを第２の表示パネルに供給する第２の無線モジュールと、を少なくとも備えていればよい。
【０１１０】
［応用例２］
以下では、本発明の一態様の表示装置１０を適用した電子機器の例について説明する。
【０１１１】
図１０（Ａ）、（Ｂ）に、電子機器５０の斜視図を示す。電子機器５０は、支持体５１ａ、支持体５１ｂ、表示パネル１００ａ、表示パネル１００ｂ、及び表示パネル１００ｃを有する。
【０１１２】
支持体５１ａと支持体５１ｂは、ヒンジ５２によって回転可能に連結されている。また表示パネル１００ａは、支持体５１ａに支持されている。また表示パネル１００ｃは、支持体５１ｂに支持されている。また３つの表示パネルのうち、少なくとも表示パネル１００ａと表示パネル１００ｃの間に位置する表示パネル１００ｂは可撓性を有している。表示パネル１００ａと表示パネル１００ｃは、可撓性を有していなくてもよいが、これらを同じ構成とすることで量産性を向上させることができる。
【０１１３】
図１０（Ａ）は、表示パネル１００ａ、表示パネル１００ｂ及び表示パネル１００ｃがそれぞれ略同一平面に位置する状態（展開状態という）を示している。また図１０（Ｂ）は、表示パネル１００ａと表示パネル１００ｃとが互いに重なるように位置する状態（折り畳み状態という）を示している。電子機器５０の支持体５１ａと支持体５１ｂは、展開状態と折り畳み状態とに可逆的に変形可能である。
【０１１４】
電子機器５０が備える各表示パネルは、タッチセンサを備えることが好ましい。タッチセンサの方式としては、静電容量方式、抵抗膜方式、表面弾性波方式、赤外線方式、光学方式など様々な方式を用いることができる。特に、静電容量方式を用いることが好ましい。また、タッチセンサとして、容量とトランジスタとを備えるアクティブマトリクス型のタッチセンサとすることが好ましい。タッチセンサ及びタッチセンサを備えるタッチパネルの具体的な構成例については、後の実施の形態で説明する。
【０１１５】
また、電子機器５０が備える表示装置は、スライドするように各支持体に支持されていることが好ましい。その際、表示装置は厚さ方向に動かないように、各支持体に支持されていることが好ましい。このとき、表示装置は表示面に平行な方向のうち曲がる方向にはスライドし、これとは垂直な方向に動かないように各支持体に支持されていることが好ましい。このような支持方法を用いることで、例えば表示装置を平坦にした状態から曲げた状態に変形する際に、中立面から表示パネルまでの距離に応じて表示装置に生じる位置のずれをスライド動作により補うことが可能となる。その結果、表示装置に応力がかかることにより破損してしまうことを抑制できる。また、複数の支持体のうちの１つと表示装置とは、スライドしないように固定されていてもよい。また、表示装置はその一部に伸縮性を有していてもよい。表示装置の一部が伸縮することで、上記ずれを補うことができる。また表示装置の曲がる部分が、表示装置を平坦にした状態でたわむように、表示装置を各支持体に固定していてもよい。表示装置にたわみを持たせることで上記ずれを補うことができる。
【０１１６】
電子機器５０が備える表示装置と各支持体の支持方法は特に限定されない。例えば表示装置が収まる溝部が形成されるように加工された２つの部材で表示装置を挟持する方法などを用いると、表示装置がスライドするように支持することができる。また表示装置と各支持体とを固定する場合には、例えば接着する方法、ねじ等で固定する方法、部材により表示装置を挟んで機械的に固定する方法等が挙げられる。
【０１１７】
図１０（Ｂ）に示す折り畳み状態において、表示パネル１００ｂは表示領域が曲面を有するように、曲がる領域を有する。ここで、表示パネル１００ａと表示パネル１００ｂとが重なる領域、及び表示パネル１００ｂと表示パネル１００ｃとが重なる領域が、曲がる領域に位置しないようにすることが好ましい。特に、各表示パネルの可視光を透過する領域１１０ａ、領域１１０ｂ、及び領域１１０ｃのうち、表示装置が曲がる方向とは垂直な方向に帯状に設けられる部分が、曲がる領域に位置しないようにすることが好ましい。２つの表示パネルが重なる領域はその厚さが厚く、他の領域に比べて可撓性が劣ってしまう場合があるため、曲がる部分を避けるように配置することで、表示面を滑らかな曲面形状にできる。また、２つの表示パネルが接着されている部分に対して変形を繰り返すと、これらが剥離してしまう恐れもあるため、この部分を曲がる部分を避けるように配置することで、電子機器の信頼性を向上させることができる。
【０１１８】
本発明の一態様の電子機器５０は、複数の表示パネルを備える表示装置が、２つの支持体によって支持された構成を有する。表示装置は曲げるなどの変形を加えることが可能である。例えば表示パネル１００ｂを表示面が内側になるように曲げる（内曲げ）ことや、外側になるように曲げる（外曲げ）ことが可能である。本発明の一態様の電子機器５０は、表示装置を折り畳んだ状態では可搬性に優れ、展開した状態では継ぎ目が視認されない広い表示領域により、表示の一覧性に優れる。すなわち、電子機器５０は表示の一覧性の向上と高い可搬性が両立された電子機器といえる。
【０１１９】
図１１（Ａ）は、図１０（Ａ）に示す電子機器５０の展開状態における、切断線Ｄ１−Ｄ２に沿って切断した時の断面概略図である。また、図１１（Ｂ）は、図１０（Ｂ）に示す電子機器５０の折り畳み状態における、切断線Ｅ１−Ｅ２に沿って切断した時の断面概略図である。
【０１２０】
図１１（Ａ）（Ｂ）に示すように、支持体５１ａの内部には端子５４ａを備える基板５３ａを有する。同様に支持体５１ｂの内部に端子５４ｂ及び端子５４ｃを備える基板５３ｂを備える。表示パネル１００ａはＦＰＣ１１２ａを介して端子５４ａと電気的に接続する。表示パネル１００ｂはＦＰＣ１１２ｂを介して端子５４ｂと電気的に接続する。表示パネル１００ｃはＦＰＣ１１２ｃを介して端子５４ｃと電気的に接続する。
【０１２１】
また、図１１（Ａ）（Ｂ）に示すように、各々の支持体の内部にバッテリ（バッテリ５５ａ、バッテリ５５ｂ）を有する構成とすることが好ましい。電子機器５０が複数のバッテリを備える構成とすることで、充電する頻度を少なくすることができる。または、各々のバッテリの容量を少なくすることができるため、各々のバッテリの体積を低減することで支持体５１ａ及び支持体５１ｂの厚さを小さくし、可搬性を向上させることができる。
【０１２２】
また、図１１（Ｂ）に示すように、折り畳み状態において支持体５１ａ及び支持体５１ｂが有する曲面に沿って、表示パネル１００ｂが湾曲することが好ましい。このように支持体５１ａ及び支持体５１ｂの表面のうち、表示パネル１００ｂと接しうる表面に角部が位置しないように、その表面を適切な曲率半径の曲面形状とすることで、表示パネル１００ｂが許容されるよりも小さい曲率半径で曲がることで破損してしまう不具合が生じることを防ぐことができる。
【０１２３】
図１２（Ａ）（Ｂ）に、電子機器５０とは異なる構成を有する電子機器７０を示す。電子機器７０は、電子機器５０と比較して、支持体５１ａと支持体５１ｂの間に支持体５１ｃを有する点、ならびに縦方向及び横方向に並べて配置された複数の表示パネル（表示パネル１００ａ乃至１００ｊ）を有する点で主に相違している。
【０１２４】
図１２（Ａ）は、電子機器７０の展開状態における斜視概略図であり、図１２（Ｂ）折り畳み状態における斜視概略図である。
【０１２５】
支持体５１ａと支持体５１ｃは、ヒンジ５２ａによって回転可能に連結されている。また支持体５１ｃと支持体５１ｂは、ヒンジ５２ｂによって回転可能に連結されている。表示パネル１００ａと表示パネル１００ｆは、支持体５１ａに支持されている。また表示パネル１００ｃと表示パネル１００ｈは、支持体５１ｃに支持されている。また表示パネル１００ｅと表示パネル１００ｊは、支持体５１ｂに支持されている。少なくとも各支持体をまたぐように設けられる表示パネル１００ｂ、表示パネル１００ｄ、表示パネル１００ｇ、及び表示パネル１００ｉは、それぞれ可撓性を有している。
【０１２６】
本発明の一態様の電子機器７０は、可撓性を有する表示装置の一部が、３つの支持体によって支持された構成を有する。表示装置は曲げるなどの変形を加えることが可能である。例えば表示パネル１００ｂ及び表示パネル１００ｇを表示面が内側になるように曲げる（内曲げ）ことや、外側になるように曲げる（外曲げ）ことが可能である。本発明の一態様の電子機器７０は、表示装置を折り畳んだ状態では可搬性に優れ、展開した状態では継ぎ目が視認されない広い表示領域により、表示の一覧性に優れる。すなわち、電子機器７０は表示の一覧性の向上と高い可搬性が両立された電子機器といえる。
【０１２７】
図１２（Ａ）（Ｂ）に示すように、各表示パネルが重なる領域が、曲がる領域に位置しないようにすることが好ましい。特に、各表示パネルの可視光を透過する領域１１０（領域１１０ａ乃至１１０ｊ）のうち、表示装置が曲がる方向とは垂直な方向に帯状に設けられる部分が、曲がる領域に位置しないようにすることが好ましい。また可視光を透過する領域１１０のうち、曲がる方向に対して平行な方向に帯状に設けられる部分については、曲げに対する機械的強度が比較的高いため、曲がる領域に位置していてもよい。
【０１２８】
図１３は、図１２（Ｂ）に示す電子機器７０の折り畳み状態における、切断線Ｆ１−Ｆ２に沿って切断したときの断面概略図である。支持体５１ｃの内部には支持体５１ａ及び支持体５１ｂと同様に基板５３ｃを有する。また支持体５１ｃの内部にもバッテリ５５ｃを有していることが好ましい。
【０１２９】
以上では、支持体を２つまたは３つ有する電子機器の構成について説明したが、４以上の支持体を設ける構成としてもよい。本発明の一態様の表示装置は大面積化が容易であるため、支持体の数を増やすことで、展開状態における表示面積を大きくすることが可能となる。また、一つの支持体の面積も大きくすることもできる。
【０１３０】
本実施の形態は、少なくともその一部を本明細書中に記載する他の実施の形態と適宜組み合わせて実施することができる。
【０１３１】
（実施の形態２）
本実施の形態では、本発明の一態様の表示装置に適用可能な表示パネルについて図面を参照して説明する。ここでは、表示パネルの例として、タッチセンサとしての機能を備えるタッチパネルについて説明する。
【０１３２】
図１４（Ａ）は本発明の一態様の表示装置に適用可能なタッチパネルの構造を説明する上面図である。図１４（Ｂ）は図１４（Ａ）の切断線Ａ−Ｂおよび切断線Ｃ−Ｄにおける断面図である。図１４（Ｃ）は図１４（Ａ）の切断線Ｅ−Ｆにおける断面図である。
【０１３３】
［上面図の説明］
本実施の形態で例示するタッチパネル３００は表示部３０１を有する（図１４（Ａ）参照）。
【０１３４】
表示部３０１は、複数の画素３０２と複数の撮像画素３０８を備える。撮像画素３０８は表示部３０１に触れる指等を検知することができる。これにより、撮像画素３０８を用いてタッチセンサを構成することができる。
【０１３５】
画素３０２は、複数の副画素（例えば副画素３０２Ｒ）を備え、副画素は発光素子および発光素子を駆動する電力を供給することができる画素回路を備える。
【０１３６】
画素回路は、選択信号を供給することができる配線および画像信号を供給することができる配線と、電気的に接続される。
【０１３７】
また、タッチパネル３００は選択信号を画素３０２に供給することができる走査線駆動回路３０３ｇ（１）と、画像信号を画素３０２に供給することができる画像信号線駆動回路３０３ｓ（１）を備える。
【０１３８】
撮像画素３０８は、光電変換素子および光電変換素子を駆動する撮像画素回路を備える。
【０１３９】
撮像画素回路は、制御信号を供給することができる配線および電源電位を供給することができる配線と電気的に接続される。
【０１４０】
制御信号としては、例えば記録された撮像信号を読み出す撮像画素回路を選択することができる信号、撮像画素回路を初期化することができる信号、および撮像画素回路が光を検知する時間を決定することができる信号などを挙げることができる。
【０１４１】
タッチパネル３００は制御信号を撮像画素３０８に供給することができる撮像画素駆動回路３０３ｇ（２）と、撮像信号を読み出す撮像信号線駆動回路３０３ｓ（２）を備える。
【０１４２】
タッチパネル３００は、表示部３０１の２辺に沿って可視光を透過する領域１１０を備える。
【０１４３】
［断面図の説明］
タッチパネル３００は、基板３１０および基板３１０に対向する対向基板３７０を有する（図１４（Ｂ）参照）。
【０１４４】
基板３１０は、可撓性を有する基板３１０ｂ、不純物の発光素子への拡散を防ぐバリア膜３１０ａおよび基板３１０ｂとバリア膜３１０ａを貼り合わせる接着層３１０ｃが積層された積層体である。
【０１４５】
対向基板３７０は、可撓性を有する基板３７０ｂ、不純物の発光素子への拡散を防ぐバリア膜３７０ａおよび基板３７０ｂとバリア膜３７０ａを貼り合わせる接着層３７０ｃの積層体である（図１４（Ｂ）参照）。
【０１４６】
封止材３６０は対向基板３７０と基板３１０を貼り合わせている。また、封止材３６０は空気より大きい屈折率を備え、封止材３６０を挟む２つの部材（ここでは対向基板３７０と基板３１０）を光学的に接合する層（以下、光学接合層ともいう）としても機能する。画素回路および発光素子（例えば第１の発光素子３５０Ｒ）は基板３１０と対向基板３７０の間にある。
【０１４７】
〔画素の構成〕
画素３０２は、副画素３０２Ｒ、副画素３０２Ｇおよび副画素３０２Ｂを有する（図１４（Ｃ）参照）。また、副画素３０２Ｒは発光モジュール３８０Ｒを備え、副画素３０２Ｇは発光モジュール３８０Ｇを備え、副画素３０２Ｂは発光モジュール３８０Ｂを備える。
【０１４８】
例えば副画素３０２Ｒは、第１の発光素子３５０Ｒおよび第１の発光素子３５０Ｒに電力を供給することができるトランジスタ３０２ｔを含む画素回路を備える（図１４（Ｂ）参照）。また、発光モジュール３８０Ｒは第１の発光素子３５０Ｒおよび光学素子（例えば第１の着色層３６７Ｒ）を備える。
【０１４９】
第１の発光素子３５０Ｒは、下部電極３５１Ｒ、上部電極３５２、下部電極３５１Ｒと上部電極３５２の間に発光性の有機化合物を含む層３５３を有する（図１４（Ｃ）参照）。
【０１５０】
発光性の有機化合物を含む層３５３は、発光ユニット３５３ａ、発光ユニット３５３ｂおよび発光ユニット３５３ａと発光ユニット３５３ｂの間に中間層３５４を備える。
【０１５１】
発光モジュール３８０Ｒは、第１の着色層３６７Ｒを対向基板３７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【０１５２】
例えば、発光モジュール３８０Ｒは、第１の発光素子３５０Ｒと第１の着色層３６７Ｒに接する封止材３６０を有する。
【０１５３】
第１の着色層３６７Ｒは第１の発光素子３５０Ｒと重なる位置にある。これにより、第１の発光素子３５０Ｒが発する光の一部は、光学接合層を兼ねる封止材３６０および第１の着色層３６７Ｒを透過して、図中の矢印に示すように発光モジュール３８０Ｒの外部に射出される。
【０１５４】
なお、ここでは、表示素子として、発光素子を用いた場合の例を示したが、本発明の一態様は、これに限定されない。
【０１５５】
例えば、本明細書等において、表示素子、表示素子を有する装置である表示装置または表示パネル、発光素子、及び発光素子を有する装置である発光装置は、様々な形態を用いること、又は様々な素子を有することができる。表示素子、表示装置、表示パネル、発光素子又は発光装置は例えば、ＥＬ（エレクトロルミネッセンス）素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、トランジスタ（電流に応じて発光するトランジスタ）、電子放出素子、液晶素子、電子インク、電気泳動素子、グレーティングライトバルブ（ＧＬＶ）、プラズマディスプレイ（ＰＤＰ）、ＭＥＭＳ（マイクロ・エレクトロ・メカニカル・システム）を用いた表示素子、デジタルマイクロミラーデバイス（ＤＭＤ）、ＤＭＳ（デジタル・マイクロ・シャッター）、ＭＩＲＡＳＯＬ（登録商標）、ＩＭＯＤ（インターフェアレンス・モジュレーション）素子、シャッター方式のＭＥＭＳ表示素子、光干渉方式のＭＥＭＳ表示素子、エレクトロウェッティング素子、圧電セラミックディスプレイ、カーボンナノチューブを用いた表示素子などの少なくとも一つを有している。これらの他にも、電気的または磁気的作用により、コントラスト、輝度、反射率、透過率などが変化する表示媒体を有していてもよい。ＥＬ素子を用いた表示装置の一例としては、ＥＬディスプレイなどがある。電子放出素子を用いた表示装置の一例としては、フィールドエミッションディスプレイ（ＦＥＤ）又はＳＥＤ方式平面型ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などがある。液晶素子を用いた表示装置の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク、電子粉流体（登録商標）、又は電気泳動素子を用いた表示装置の一例としては、電子ペーパなどがある。なお、半透過型液晶ディスプレイや反射型液晶ディスプレイを実現する場合には、画素電極の一部、または、全部が、反射電極としての機能を有するようにすればよい。例えば、画素電極の一部、または、全部が、アルミニウム、銀、などを有するようにすればよい。さらに、その場合、反射電極の下に、ＳＲＡＭなどの記憶回路を設けることも可能である。これにより、さらに、消費電力を低減することができる。
【０１５６】
〔タッチパネルの構成〕
タッチパネル３００は、遮光層３６７ＢＭを対向基板３７０に有する。遮光層３６７ＢＭは、着色層（例えば第１の着色層３６７Ｒ）を囲むように設けられている。
【０１５７】
タッチパネル３００は、反射防止層３６７ｐを表示部３０１に重なる位置に備える。反射防止層３６７ｐとして、例えば円偏光板を用いることができる。
【０１５８】
タッチパネル３００は、絶縁膜３２１を備える。絶縁膜３２１はトランジスタ３０２ｔを覆っている。なお、絶縁膜３２１は画素回路に起因する凹凸を平坦化するための層として用いることができる。また、不純物のトランジスタ３０２ｔ等への拡散を抑制することができる層が積層された絶縁膜を、絶縁膜３２１に適用することができる。
【０１５９】
タッチパネル３００は、発光素子（例えば第１の発光素子３５０Ｒ）を絶縁膜３２１上に有する。
【０１６０】
タッチパネル３００は、下部電極３５１Ｒの端部に重なる隔壁３２８を絶縁膜３２１上に有する（図１４（Ｃ）参照）。また、基板３１０と対向基板３７０の間隔を制御するスペーサ３２９を、隔壁３２８上に有する。
【０１６１】
〔画像信号線駆動回路の構成〕
画像信号線駆動回路３０３ｓ（１）は、トランジスタ３０３ｔおよび容量３０３ｃを含む。なお、駆動回路は画素回路と同一の工程で同一基板上に形成することができる。図１４（Ｂ）に示すようにトランジスタ３０３ｔは絶縁膜３２１上に第２のゲートを有していてもよい。第２のゲートはトランジスタ３０３ｔのゲートと電気的に接続されていてもよいし、これらに異なる電位が与えられていてもよい。また、必要であれば、第２のゲートをトランジスタ３０８ｔ、トランジスタ３０２ｔ等に設けてもよい。
【０１６２】
〔撮像画素の構成〕
撮像画素３０８は、光電変換素子３０８ｐおよび光電変換素子３０８ｐに照射された光を検知するための撮像画素回路を備える。また、撮像画素回路は、トランジスタ３０８ｔを含む。
【０１６３】
例えばｐｉｎ型のフォトダイオードを光電変換素子３０８ｐに用いることができる。
【０１６４】
〔他の構成〕
タッチパネル３００は、信号を供給することができる配線３１１を備え、端子３１９が配線３１１に設けられている。なお、画像信号および同期信号等の信号を供給することができるＦＰＣ３０９（１）が端子３１９に電気的に接続されている。
【０１６５】
なお、ＦＰＣ３０９（１）にはプリント配線基板（ＰＷＢ）が取り付けられていてもよい。
【０１６６】
同一の工程で形成されたトランジスタを、トランジスタ３０２ｔ、トランジスタ３０３ｔ、トランジスタ３０８ｔ等のトランジスタに適用できる。
【０１６７】
トランジスタの構成としては、ボトムゲート型、トップゲート型等の構造を有するトランジスタを適用できる。
【０１６８】
トランジスタのゲート、ソースおよびドレインのほか、タッチパネルを構成する各種配線および電極に用いることのできる材料としては、アルミニウム、チタン、クロム、ニッケル、銅、イットリウム、ジルコニウム、モリブデン、銀、タンタル、またはタングステンなどの金属、またはこれを主成分とする合金を単層構造または積層構造として用いる。例えば、シリコンを含むアルミニウム膜の単層構造、チタン膜上にアルミニウム膜を積層する二層構造、タングステン膜上にアルミニウム膜を積層する二層構造、銅−マグネシウム−アルミニウム合金膜上に銅膜を積層する二層構造、チタン膜上に銅膜を積層する二層構造、タングステン膜上に銅膜を積層する二層構造、チタン膜または窒化チタン膜と、そのチタン膜または窒化チタン膜上に重ねてアルミニウム膜または銅膜を積層し、さらにその上にチタン膜または窒化チタン膜を形成する三層構造、モリブデン膜または窒化モリブデン膜と、そのモリブデン膜または窒化モリブデン膜上に重ねてアルミニウム膜または銅膜を積層し、さらにその上にモリブデン膜または窒化モリブデン膜を形成する三層構造等がある。なお、酸化インジウム、酸化錫または酸化亜鉛を含む透明導電材料を用いてもよい。また、マンガンを含む銅を用いると、エッチングによる形状の制御性が高まるため好ましい。
【０１６９】
トランジスタ３０２ｔ、トランジスタ３０３ｔ、トランジスタ３０８ｔ等のトランジスタのチャネルが形成される半導体に、酸化物半導体を適用することが好ましい。特にシリコンよりもバンドギャップの大きな酸化物半導体を適用することが好ましい。シリコンよりもバンドギャップが広く、且つキャリア密度の小さい半導体材料を用いると、トランジスタのオフ状態における電流を低減できるため好ましい。
【０１７０】
例えば、上記酸化物半導体として、少なくともインジウム（Ｉｎ）もしくは亜鉛（Ｚｎ）を含むことが好ましい。より好ましくは、Ｉｎ−Ｍ−Ｚｎ系酸化物（ＭはＡｌ、Ｔｉ、Ｇａ、Ｇｅ、Ｙ、Ｚｒ、Ｓｎ、Ｌａ、ＣｅまたはＨｆ等の金属）で表記される酸化物を含む。
【０１７１】
特に、半導体層として、複数の結晶部を有し、当該結晶部はｃ軸が半導体層の被形成面、または半導体層の上面に対し垂直に配向し、且つ隣接する結晶部間には粒界を有さない酸化物半導体膜を用いることが好ましい。
【０１７２】
このような酸化物半導体は、結晶粒界を有さないために表示パネルを湾曲させたときの応力によって酸化物半導体膜にクラックが生じてしまうことが抑制される。したがって、可撓性を有し、湾曲させて用いる表示パネルなどに、このような酸化物半導体を好適に用いることができる。
【０１７３】
半導体層としてこのような材料を用いることで、電気特性の変動が抑制され、信頼性の高いトランジスタを実現できる。
【０１７４】
また、その低いオフ電流により、トランジスタを介して容量に蓄積した電荷を長期間に亘って保持することが可能である。このようなトランジスタを画素に適用することで、各表示領域に表示した画像の階調を維持しつつ、駆動回路を停止することも可能となる。その結果、極めて消費電力の低減された表示装置を実現できる。
【０１７５】
または、トランジスタ３０２ｔ、トランジスタ３０３ｔ、トランジスタ３０８ｔ等のトランジスタのチャネルが形成される半導体に、シリコンを用いることが好ましい。シリコンとしてアモルファスシリコンを用いてもよいが、特に結晶性を有するシリコンを用いることが好ましい。例えば、微結晶シリコン、多結晶シリコン、単結晶シリコンなどを用いることが好ましい。特に、多結晶シリコンは、単結晶シリコンに比べて低温で形成でき、且つアモルファスシリコンに比べて高い電界効果移動度と高い信頼性を備える。このような多結晶半導体を画素に適用することで画素の開口率を向上させることができる。また極めて高精細に画素を有する場合であっても、ゲート駆動回路とソース駆動回路を画素と同一基板上に形成することが可能となり、電子機器を構成する部品数を低減することができる。
【０１７６】
ここで、可撓性を有する発光パネルを形成する方法について説明する。
【０１７７】
ここでは便宜上、画素や駆動回路を含む構成、またはカラーフィルタ等の光学部材を含む構成を素子層と呼ぶこととする。素子層は例えば表示素子を含み、表示素子の他に表示素子と電気的に接続する配線、画素や回路に用いるトランジスタなどの素子を備えていてもよい。
【０１７８】
またここでは、素子層が形成される絶縁表面を備える支持体のことを、基材と呼ぶこととする。
【０１７９】
可撓性を有する絶縁表面を備える基材上に素子層を形成する方法としては、基材上に直接素子層を形成する方法と、剛性を有する支持基材上に素子層を形成した後、素子層と支持基材とを剥離して素子層を基材に転置する方法と、がある。
【０１８０】
基材を構成する材料が、素子層の形成工程にかかる熱に対して耐熱性を有する場合には、基材上に直接素子層を形成すると、工程が簡略化されるため好ましい。このとき、基材を支持基材に固定した状態で素子層を形成すると、装置内、及び装置間における搬送が容易になるため好ましい。
【０１８１】
また、素子層を支持基材上に形成した後に、基材に転置する方法を用いる場合、まず支持基材上に剥離層と絶縁層を積層し、当該絶縁層上に素子層を形成する。続いて、支持基材と素子層を剥離し、基材に転置する。このとき、支持基材と剥離層の界面、剥離層と絶縁層の界面、または剥離層中で剥離が生じるような材料を選択すればよい。
【０１８２】
例えば剥離層としてタングステンなどの高融点金属材料を含む層と当該金属材料の酸化物を含む層を積層して用い、剥離層上に窒化シリコンや酸窒化シリコンを複数積層した層を用いることが好ましい。高融点金属材料を用いると、素子層の形成工程の自由度が高まるためこのましい。
【０１８３】
剥離は、機械的な力を加えることや、剥離層をエッチングすること、または剥離界面の一部に液体を滴下して剥離界面全体に浸透させることなどにより剥離を行ってもよい。または、熱膨張の違いを利用して剥離界面に熱を加えることにより剥離を行ってもよい。
【０１８４】
また、支持基材と絶縁層の界面で剥離が可能な場合には、剥離層を設けなくてもよい。例えば、支持基材としてガラスを用い、絶縁層としてポリイミドなどの有機樹脂を用いて、有機樹脂の一部をレーザ光等を用いて局所的に加熱することにより剥離の起点を形成し、ガラスと絶縁層の界面で剥離を行ってもよい。または、支持基材と有機樹脂からなる絶縁層の間に金属層を設け、当該金属層に電流を流して当該金属層を加熱することにより、当該金属層と絶縁層の界面で剥離を行ってもよい。このとき、有機樹脂からなる絶縁層は基材として用いることができる。
【０１８５】
可撓性を有する基材としては、例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂等が挙げられる。特に、熱膨張係数の低い材料を用いることが好ましく、例えば、熱膨張係数が３０×１０−６／Ｋ以下であるポリアミドイミド樹脂、ポリイミド樹脂、ＰＥＴ等を好適に用いることができる。また、繊維体に樹脂を含浸した基板（プリプレグとも記す）や、無機フィラーを有機樹脂に混ぜて熱膨張係数を下げた基板を使用することもできる。
【０１８６】
上記材料中に繊維体が含まれている場合、繊維体は有機化合物または無機化合物の高強度繊維を用いる。高強度繊維とは、具体的には引張弾性率またはヤング率の高い繊維のことを言い、代表例としては、ポリビニルアルコール系繊維、ポリエステル系繊維、ポリアミド系繊維、ポリエチレン系繊維、アラミド系繊維、ポリパラフェニレンベンゾビスオキサゾール繊維、ガラス繊維、または炭素繊維が挙げられる。ガラス繊維としては、Ｅガラス、Ｓガラス、Ｄガラス、Ｑガラス等を用いたガラス繊維が挙げられる。これらは、織布または不織布の状態で用い、この繊維体に樹脂を含浸させ樹脂を硬化させた構造物を可撓性を有する基板として用いてもよい。可撓性を有する基板として、繊維体と樹脂からなる構造物を用いると、曲げや局所的押圧による破損に対する信頼性が向上するため、好ましい。
【０１８７】
なお、本発明の一態様の表示装置は、画素に能動素子を有するアクティブマトリクス方式、または、画素に能動素子を有しないパッシブマトリクス方式を用いることができる。
【０１８８】
アクティブマトリクス方式では、能動素子（アクティブ素子、非線形素子）として、トランジスタだけでなく、さまざまな能動素子（アクティブ素子、非線形素子）を用いることができる。例えば、ＭＩＭ（Ｍｅｔａｌ  Ｉｎｓｕｌａｔｏｒ  Ｍｅｔａｌ）、又はＴＦＤ（Ｔｈｉｎ  Ｆｉｌｍ  Ｄｉｏｄｅ）などを用いることも可能である。これらの素子は、製造工程が少ないため、製造コストの低減、又は歩留まりの向上を図ることができる。または、これらの素子は、素子のサイズが小さいため、開口率を向上させることができ、低消費電力化や高輝度化をはかることができる。
【０１８９】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が少ないため、製造コストの低減、又は歩留まりの向上を図ることができる。または、能動素子（アクティブ素子、非線形素子）を用いないため、開口率を向上させることができ、低消費電力化、又は高輝度化などを図ることができる。
【０１９０】
なお、ここでは、表示装置を用いて、様々な表示を行う場合の例を示したが、本発明の一態様は、これに限定されない。例えば、情報を表示しないようにしてもよい。一例としては、表示装置のかわりに、照明装置として用いてもよい。照明装置に適用することにより、デザイン性に優れたインテリアとして、活用することができる。または、様々な方向を照らすことができる照明として活用することが出来る。または、表示装置のかわりに、バックライトやフロントライトなどの光源として用いてもよい。つまり、表示パネルのための照明装置として活用してもよい。
【０１９１】
ここで特に、家庭用テレビジョン装置や、デジタルサイネージ、またはＰＩＤに本発明の一態様の表示装置を用いる場合には、このように表示パネルにタッチパネルを適用することで、表示領域に画像や動画を表示するだけでなく観察者が直感的に操作することが可能となるため好ましい。また例えば広告用途に用いる場合では、より宣伝効果を高める効果を奏する。また、路線情報や交通情報などの情報を提供するための用途に用いる場合には、直感的な操作によりユーザビリティを高めることができる。
【０１９２】
なお、ビルや公共施設などの壁面に設置する大型の広告に用いるなど、タッチセンサとしての機能を必要としない場合には、上記で示したタッチパネルの構成例におけるタッチセンサの構成を省いて、表示パネルを構成すればよい。
【０１９３】
（実施の形態３）
本実施の形態では、本発明の一態様の表示装置に適用可能な表示パネルについて図面を参照して説明する。
【０１９４】
ここでは、表示パネルの例として、タッチセンサとしての機能を備えるタッチパネルについて説明する。
【０１９５】
図１５は、タッチパネル５００の断面図である。
【０１９６】
タッチパネル５００は、表示部５０１とタッチセンサ５９５を備える。また、タッチパネル５００は、基板５１０、基板５７０および基板５９０を有する。なお、基板５１０、基板５７０および基板５９０はいずれも可撓性を有する。
【０１９７】
表示部５０１は、基板５１０、基板５１０上に複数の画素および当該画素に信号を供給することができる複数の配線５１１を備える。複数の配線５１１は、基板５１０の外周部にまで引き回され、その一部が端子５１９を構成している。端子５１９はＦＰＣ５０９（１）と電気的に接続する。
【０１９８】
［タッチセンサ］
基板５９０には、タッチセンサ５９５と、タッチセンサ５９５と電気的に接続する複数の配線５９８を備える。複数の配線５９８は基板５９０の外周部に引き回され、その一部は端子を構成する。そして、当該端子はＦＰＣ５０９（２）と電気的に接続される。
【０１９９】
タッチセンサ５９５として、例えば静電容量方式のタッチセンサを適用できる。静電容量方式としては、表面型静電容量方式、投影型静電容量方式等がある。
【０２００】
投影型静電容量方式としては、主に駆動方式の違いから自己容量方式、相互容量方式などがある。相互容量方式を用いると同時多点検出が可能となるため好ましい。
【０２０１】
以下では、投影型静電容量方式のタッチセンサを適用する場合について説明する。
【０２０２】
なお、タッチセンサの構成は上記に限られず、指等の検知対象の近接または接触を検知することができるさまざまなセンサを適用することができる。
【０２０３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０２０４】
配線５９４は、電極５９２を挟む二つの電極５９１を電気的に接続する。このとき、電極５９２と配線５９４の交差部の面積ができるだけ小さくなる形状が好ましい。これにより、電極が設けられていない領域の面積を低減でき、透過率のムラを低減できる。その結果、タッチセンサ５９５を透過する光の輝度ムラを低減することができる。
【０２０５】
なお、電極５９１、電極５９２の形状は様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、透過率の異なる領域の面積を低減できるため好ましい。
【０２０６】
タッチセンサ５９５は、基板５９０、基板５９０上に千鳥状に配置された電極５９１及び電極５９２、電極５９１及び電極５９２を覆う絶縁層５９３並びに隣り合う電極５９１を電気的に接続する配線５９４を備える。
【０２０７】
接着層５９７は、タッチセンサ５９５が表示部５０１に重なるように、基板５９０を基板５７０に貼り合わせている。
【０２０８】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物またはグラフェンを用いることができる。
【０２０９】
透光性を有する導電性材料を基板５９０上にスパッタリング法により成膜した後、フォトリソグラフィ法等の様々なパターニング技術により、不要な部分を除去して、電極５９１及び電極５９２を形成することができる。グラフェンはＣＶＤ法のほか、酸化グラフェンを分散した溶液を塗布した後にこれを還元して形成してもよい。
【０２１０】
また、絶縁層５９３に用いる材料としては、例えば、アクリル、エポキシなどの樹脂、シロキサン結合を有する樹脂の他、酸化シリコン、酸化窒化シリコン、酸化アルミニウムなどの無機絶縁材料を用いることもできる。
【０２１１】
また、電極５９１に達する開口が絶縁層５９３に設けられ、配線５９４が隣接する電極５９１を電気的に接続する。透光性の導電性材料は、タッチパネルの開口率を高めることができるため、配線５９４に好適に用いることができる。また、電極５９１及び電極５９２より導電性の高い材料は、電気抵抗を低減できるため配線５９４に好適に用いることができる。
【０２１２】
一の電極５９２は一方向に延在し、複数の電極５９２がストライプ状に設けられている。
【０２１３】
配線５９４は電極５９２と交差して設けられている。
【０２１４】
一対の電極５９１が一の電極５９２を挟んで設けられ、配線５９４は一対の電極５９１を電気的に接続している。
【０２１５】
なお、複数の電極５９１は、一の電極５９２と必ずしも直交する方向に配置される必要はなく、９０度未満の角度をなすように配置されてもよい。
【０２１６】
一の配線５９８は、電極５９１又は電極５９２と電気的に接続される。配線５９８の一部は、端子として機能する。配線５９８としては、例えば、アルミニウム、金、白金、銀、ニッケル、チタン、タングステン、クロム、モリブデン、鉄、コバルト、銅、又はパラジウム等の金属材料や、該金属材料を含む合金材料を用いることができる。
【０２１７】
なお、絶縁層５９３及び配線５９４を覆う絶縁層を設けて、タッチセンサ５９５を保護することができる。
【０２１８】
また、接続層５９９は、配線５９８とＦＰＣ５０９（２）を電気的に接続する。
【０２１９】
接続層５９９としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２２０】
接着層５９７は、透光性を有する。例えば、熱硬化性樹脂や紫外線硬化樹脂を用いることができ、具体的には、アクリル、ウレタン、エポキシ、またはシロキサン結合を有する樹脂などの樹脂を用いることができる。
【０２２１】
なお、ＦＰＣ５０９（２）やこれと電気的に接続する遮光性を有する配線等は、上述の可視光を透過する領域１１０と重ならない位置に配置すればよい。
【０２２２】
［表示部］
表示部５０１は、マトリクス状に配置された複数の画素を備える。画素は表示素子と表示素子を駆動する画素回路を備える。
【０２２３】
本実施の形態では、白色の有機エレクトロルミネッセンス素子を表示素子に適用する場合について説明するが、表示素子はこれに限られない。
【０２２４】
例えば、表示素子として、有機エレクトロルミネッセンス素子の他、電気泳動方式や電子粉流体（登録商標）方式などにより表示を行う表示素子（電子インクともいう）、シャッター方式のＭＥＭＳ表示素子、光干渉方式のＭＥＭＳ表示素子など、様々な表示素子を用いることができる。なお、適用する表示素子に好適な構成を、様々な画素回路から選択して用いることができる。
【０２２５】
基板５１０は、可撓性を有する基板５１０ｂ、不純物の発光素子への拡散を防ぐバリア膜５１０ａおよび基板５１０ｂとバリア膜５１０ａを貼り合わせる接着層５１０ｃが積層された積層体である。
【０２２６】
基板５７０は、可撓性を有する基板５７０ｂ、不純物の発光素子への拡散を防ぐバリア膜５７０ａおよび基板５７０ｂとバリア膜５７０ａを貼り合わせる接着層５７０ｃの積層体である。
【０２２７】
封止材５６０は基板５７０と基板５１０を貼り合わせている。封止材５６０は空気より大きい屈折率を備える。また、封止材５６０側に光を取り出す場合は、封止材５６０は光学接合層を兼ねる。画素回路および発光素子（例えば第１の発光素子５５０Ｒ）は基板５１０と基板５７０の間にある。
【０２２８】
〔画素の構成〕
画素は、副画素５０２Ｒを含み、副画素５０２Ｒは発光モジュール５８０Ｒを備える。
【０２２９】
副画素５０２Ｒは、第１の発光素子５５０Ｒおよび第１の発光素子５５０Ｒに電力を供給することができるトランジスタ５０２ｔを含む画素回路を備える。また、発光モジュール５８０Ｒは第１の発光素子５５０Ｒおよび光学素子（例えば第１の着色層５６７Ｒ）を備える。
【０２３０】
第１の発光素子５５０Ｒは、下部電極、上部電極、下部電極と上部電極の間に発光性の有機化合物を含む層を有する。
【０２３１】
発光モジュール５８０Ｒは、光を取り出す方向に第１の着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０２３２】
また、封止材５６０が光を取り出す側に設けられている場合、封止材５６０は、第１の発光素子５５０Ｒと第１の着色層５６７Ｒに接する。
【０２３３】
第１の着色層５６７Ｒは第１の発光素子５５０Ｒと重なる位置にある。これにより、第１の発光素子５５０Ｒが発する光の一部は第１の着色層５６７Ｒを透過して、図中に示す矢印の方向の発光モジュール５８０Ｒの外部に射出される。
【０２３４】
〔表示部の構成〕
表示部５０１は、光を射出する方向に遮光層５６７ＢＭを有する。遮光層５６７ＢＭは、着色層（例えば第１の着色層５６７Ｒ）を囲むように設けられている。
【０２３５】
表示部５０１は、反射防止層５６７ｐを画素に重なる位置に備える。反射防止層５６７ｐとして、例えば円偏光板を用いることができる。
【０２３６】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物の拡散を抑制できる層を含む積層膜を、絶縁膜５２１に適用することができる。これにより、不純物の拡散によるトランジスタ５０２ｔ等の信頼性の低下を抑制できる。
【０２３７】
表示部５０１は、発光素子（例えば第１の発光素子５５０Ｒ）を絶縁膜５２１上に有する。
【０２３８】
表示部５０１は、下部電極の端部に重なる隔壁５２８を絶縁膜５２１上に有する。また、基板５１０と基板５７０の間隔を制御するスペーサを、隔壁５２８上に有する。
【０２３９】
〔走査線駆動回路の構成〕
走査線駆動回路５０３ｇ（１）は、トランジスタ５０３ｔおよび容量５０３ｃを含む。なお、駆動回路を画素回路と同一の工程で同一基板上に形成することができる。
【０２４０】
〔他の構成〕
表示部５０１は、信号を供給することができる配線５１１を備え、端子５１９が配線５１１に設けられている。なお、画像信号および同期信号等の信号を供給することができるＦＰＣ５０９（１）が端子５１９に電気的に接続されている。
【０２４１】
なお、ＦＰＣ５０９（１）にはプリント配線基板（ＰＷＢ）が取り付けられていてもよい。
【０２４２】
［表示部の変形例］
様々なトランジスタを表示部５０１に適用できる。
【０２４３】
ボトムゲート型のトランジスタを表示部５０１に適用する場合の構成を、図１５（Ａ）および図１５（Ｂ）に図示する。
【０２４４】
例えば、酸化物半導体、アモルファスシリコン等を含む半導体層を、図１５（Ａ）に図示するトランジスタ５０２ｔおよびトランジスタ５０３ｔに適用することができる。
【０２４５】
例えば、多結晶シリコン等を含む半導体層を、図１５（Ｂ）に図示するトランジスタ５０２ｔおよびトランジスタ５０３ｔに適用することができる。
【０２４６】
トップゲート型のトランジスタを表示部５０１に適用する場合の構成を、図１５（Ｃ）に図示する。
【０２４７】
例えば、酸化物半導体、多結晶シリコンまたは転写された単結晶シリコン膜等を含む半導体層を、図１５（Ｃ）に図示するトランジスタ５０２ｔおよびトランジスタ５０３ｔに適用することができる。
【０２４８】
本実施の形態は、少なくともその一部を本明細書中に記載する他の実施の形態と適宜組み合わせて実施することができる。
【０２４９】
（実施の形態４）
本実施の形態では、本発明の一態様の表示装置に適用可能な表示パネルについて図面を参照して説明する。ここでは、表示パネルの例として、タッチセンサとしての機能を備えるタッチパネルについて説明する。
【０２５０】
図１６は、タッチパネル５００Ｂの断面図である。
【０２５１】
本実施の形態で説明するタッチパネル５００Ｂは、供給された画像情報をトランジスタが設けられている側に表示する表示部５０１を備える点およびタッチセンサが表示部の基板５１０側に設けられている点が、実施の形態３で説明するタッチパネル５００とは異なる。ここでは異なる構成について詳細に説明し、同様の構成を用いることができる部分は、上記の説明を援用する。
【０２５２】
［表示部］
表示部５０１は、マトリクス状に配置された複数の画素を備える。画素は表示素子と表示素子を駆動する画素回路を備える。
【０２５３】
〔画素の構成〕
画素は、副画素５０２Ｒを含み、副画素５０２Ｒは発光モジュール５８０Ｒを備える。
【０２５４】
副画素５０２Ｒは、第１の発光素子５５０Ｒおよび第１の発光素子５５０Ｒに電力を供給することができるトランジスタ５０２ｔを含む画素回路を備える。
【０２５５】
発光モジュール５８０Ｒは第１の発光素子５５０Ｒおよび光学素子（例えば第１の着色層５６７Ｒ）を備える。
【０２５６】
第１の発光素子５５０Ｒは、下部電極、上部電極、下部電極と上部電極の間に発光性の有機化合物を含む層を有する。
【０２５７】
発光モジュール５８０Ｒは、光を取り出す方向に第１の着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０２５８】
第１の着色層５６７Ｒは第１の発光素子５５０Ｒと重なる位置にある。また、図１６（Ａ）に示す第１の発光素子５５０Ｒは、トランジスタ５０２ｔが設けられている側に光を射出する。これにより、第１の発光素子５５０Ｒが発する光の一部は第１の着色層５６７Ｒを透過して、図中に示す矢印の方向の発光モジュール５８０Ｒの外部に射出される。
【０２５９】
〔表示部の構成〕
表示部５０１は、光を射出する方向に遮光層５６７ＢＭを有する。遮光層５６７ＢＭは、着色層（例えば第１の着色層５６７Ｒ）を囲むように設けられている。
【０２６０】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物の拡散を抑制できる層を含む積層膜を、絶縁膜５２１に適用することができる。これにより、例えば着色層５６７Ｒから拡散する不純物によるトランジスタ５０２ｔ等の信頼性の低下を抑制できる。
【０２６１】
［タッチセンサ］
タッチセンサ５９５は、表示部５０１の基板５１０側に設けられている（図１６（Ａ）参照）。
【０２６２】
接着層５９７は、基板５１０と基板５９０の間にあり、表示部５０１とタッチセンサ５９５を貼り合わせる。
【０２６３】
なお、ＦＰＣ５０９（２）やこれと電気的に接続する遮光性を有する配線等は、上述の可視光を透過する領域１１０と重ならない位置に配置すればよい。
【０２６４】
［表示部の変形例］
様々なトランジスタを表示部５０１に適用できる。
【０２６５】
ボトムゲート型のトランジスタを表示部５０１に適用する場合の構成を、図１６（Ａ）および図１６（Ｂ）に図示する。
【０２６６】
例えば、酸化物半導体、アモルファスシリコン等を含む半導体層を、図１６（Ａ）に図示するトランジスタ５０２ｔおよびトランジスタ５０３ｔに適用することができる。
【０２６７】
例えば、多結晶シリコン等を含む半導体層を、図１６（Ｂ）に図示するトランジスタ５０２ｔおよびトランジスタ５０３ｔに適用することができる。
【０２６８】
トップゲート型のトランジスタを表示部５０１に適用する場合の構成を、図１６（Ｃ）に図示する。
【０２６９】
例えば、酸化物半導体、多結晶シリコンまたは転写された単結晶シリコン膜等を含む半導体層を、図１６（Ｃ）に図示するトランジスタ５０２ｔおよびトランジスタ５０３ｔに適用することができる。
【０２７０】
本実施の形態は、少なくともその一部を本明細書中に記載する他の実施の形態と適宜組み合わせて実施することができる。
【０２７１】
（実施の形態５）
本実施の形態では、本発明の一態様の入出力装置の構成について、図１７および図１８を参照しながら説明する。
【０２７２】
図１７は本発明の一態様の入出力装置の構成を説明する投影図である。
【０２７３】
図１７（Ａ）は本発明の一態様の入出力装置６００の投影図であり、図１７（Ｂ）は入出力装置６００が備える検知ユニット６０Ｕの構成を説明する投影図である。
【０２７４】
図１８は本発明の一態様の入出力装置６００の構成を説明する断面図である。
【０２７５】
図１８は図１７に示す本発明の一態様の入出力装置６００のＺ１−Ｚ２における断面図である。
【０２７６】
なお、入出力装置６００はタッチパネルということもできる。
【０２７７】
［入出力装置の構成例］
本実施の形態で説明する入出力装置６００は、可視光を透過する窓部６４を具備し且つマトリクス状に配設される複数の検知ユニット６０Ｕ、行方向（図中に矢印Ｒで示す）に配置される複数の検知ユニット６０Ｕと電気的に接続する走査線Ｇ１、列方向（図中に矢印Ｃで示す）に配置される複数の検知ユニット６０Ｕと電気的に接続する信号線ＤＬならびに、検知ユニット６０Ｕ、走査線Ｇ１および信号線ＤＬを支持する可撓性の第１の基材６６を備える可撓性の入力装置６２０と、窓部６４に重なり且つマトリクス状に配設される複数の画素６０２および画素６０２を支持する可撓性の第２の基材６１０を備える表示部６０１と、を有する（図１７（Ａ）乃至図１７（Ｃ）参照）。
【０２７８】
検知ユニット６０Ｕは、窓部６４に重なる検知素子Ｃおよび検知素子Ｃと電気的に接続される検知回路６９を備える（図１７（Ｂ）参照）。
【０２７９】
検知素子Ｃは、絶縁層６３、絶縁層６３を挟持する第１の電極６１および第２の電極６２を備える（図１８参照）。
【０２８０】
検知回路６９は、選択信号を供給され且つ検知素子Ｃの容量の変化に基づいて検知信号ＤＡＴＡを供給する。
【０２８１】
走査線Ｇ１は、選択信号を供給することができ、信号線ＤＬは、検知信号ＤＡＴＡを供給することができ、検知回路６９は、複数の窓部６４の間隙に重なるように配置される。
【０２８２】
また、本実施の形態で説明する入出力装置６００は、検知ユニット６０Ｕおよび検知ユニット６０Ｕの窓部６４と重なる画素６０２の間に、着色層を備える。
【０２８３】
本実施の形態で説明する入出力装置６００は、可視光を透過する窓部６４を具備する検知ユニット６０Ｕを複数備える可撓性の入力装置６２０と、窓部６４に重なる画素６０２を複数備える可撓性の表示部６０１と、を有し、窓部６４と画素６０２の間に着色層を含んで構成される。
【０２８４】
これにより、入出力装置は容量の変化に基づく検知信号と、およびそれを供給する検知ユニットの位置情報を供給すること、検知ユニットの位置情報と関連付けられた画像情報を表示すること、ならびに曲げることができる。その結果、利便性または信頼性に優れた新規な入出力装置を提供することができる。
【０２８５】
また、入出力装置６００は、入力装置６２０が供給する信号を供給されるフレキシブル基板ＦＰＣ１または／および画像情報を含む信号を表示部６０１に供給するフレキシブル基板ＦＰＣ２を備えていてもよい。
【０２８６】
また、傷の発生を防いで入出力装置６００を保護する保護層６７ｐまたは／および入出力装置６００が反射する外光の強度を弱める反射防止層６６７ｐを備えていてもよい。
【０２８７】
また、入出力装置６００は、表示部６０１の走査線に選択信号を供給する走査線駆動回路６０３ｇ、信号を供給する配線６１１およびフレキシブル基板ＦＰＣ２と電気的に接続される端子６１９を有する。
【０２８８】
以下に、入出力装置６００を構成する個々の要素について説明する。なお、これらの構成は明確に分離できず、一つの構成が他の構成を兼ねる場合や他の構成の一部を含む場合がある。
【０２８９】
例えば、複数の窓部６４に重なる位置に着色層を備える入力装置６２０は、入力装置６２０であるとともにカラーフィルタでもある。
【０２９０】
また、例えば入力装置６２０が表示部６０１に重ねられた入出力装置６００は、入力装置６２０であるとともに表示部６０１でもある。
【０２９１】
《全体の構成》
入出力装置６００は、入力装置６２０と、表示部６０１と、を備える（図１７（Ａ）参照）。
【０２９２】
《入力装置６２０》
入力装置６２０は複数の検知ユニット６０Ｕおよび検知ユニットを支持する可撓性の基材６６を備える。例えば、４０行１５列のマトリクス状に複数の検知ユニット６０Ｕを可撓性の基材６６に配設する。
【０２９３】
《窓部６４、着色層および遮光性の層ＢＭ》
窓部６４は可視光を透過する。
【０２９４】
窓部６４に重なる位置に所定の色の光を透過する着色層を備える。例えば、青色の光を透過する着色層ＣＦＢ、緑色の光を透過する着色層ＣＦＧまたは赤色の光を透過する着色層ＣＦＲを備える（図１７（Ｂ）参照）。
【０２９５】
なお、青色、緑色または／および赤色に加えて、白色の光を透過する着色層または黄色の光を透過する着色層などさまざまな色の光を透過する着色層を備えることができる。
【０２９６】
着色層に金属材料、顔料または染料等を用いることができる。
【０２９７】
窓部６４を囲むように遮光性の層ＢＭを備える。遮光性の層ＢＭは窓部６４より光を透過しにくい。
【０２９８】
カーボンブラック、金属酸化物、複数の金属酸化物の固溶体を含む複合酸化物等を遮光性の層ＢＭに用いることができる。
【０２９９】
遮光性の層ＢＭと重なる位置に走査線Ｇ１、信号線ＤＬ、配線ＶＰＩ、配線ＲＥＳおよび配線ＶＲＥＳならびに検知回路６９を備える。
【０３００】
なお、着色層および遮光性の層ＢＭを覆う透光性のオーバーコート層を備えることができる。
【０３０１】
《検知素子Ｃ》
検知素子Ｃは、第１の電極６１、第２の電極６２および第１の電極６１と第２の電極６２の間に絶縁層６３を有する（図１８参照）。
【０３０２】
第１の電極６１は他の領域から分離されるように、例えば島状に形成される。特に、入出力装置６００の使用者に第１の電極６１が識別されないように、第１の電極６１と同一の工程で作製することができる層を第１の電極６１に近接して配置する構成が好ましい。より好ましくは、第１の電極６１および第１の電極６１に近接して配置する層の間隙に配置する窓部６４の数をできるだけ少なくするとよい。特に、当該間隙に窓部６４を配置しない構成が好ましい。
【０３０３】
第１の電極６１と重なるように第２の電極６２を備え、第１の電極６１と第２の電極６２の間に絶縁層６３を備える。
【０３０４】
例えば、大気中に置かれた検知素子Ｃの第１の電極６１または第２の電極６２に、大気と異なる誘電率を有するものが近づくと、検知素子Ｃの容量が変化する。具体的には、指などのものが検知素子Ｃに近づくと、検知素子Ｃの容量が変化する。これにより、検知素子Ｃを近接検知器に用いることができる。
【０３０５】
例えば、変形することができる検知素子Ｃの容量は、変形に伴い変化する。
【０３０６】
具体的には、指などのものが検知素子Ｃに触れることにより、第１の電極６１と第２の電極６２の間隔が狭くなると、検知素子Ｃの容量は大きくなる。これにより、検知素子Ｃを接触検知器に用いることができる。
【０３０７】
具体的には、検知素子Ｃを折り曲げることにより、第１の電極６１と第２の電極６２の間隔が狭くなる。これにより、検知素子Ｃの容量は大きくなる。これにより、検知素子Ｃを屈曲検知器に用いることができる。
【０３０８】
第１の電極６１および第２の電極６２は、導電性の材料を含む。
【０３０９】
例えば、無機導電性材料、有機導電性材料、金属または導電性セラミックスなどを第１の電極６１および第２の電極６２に用いることができる。
【０３１０】
具体的には、アルミニウム、クロム、銅、タンタル、チタン、モリブデン、タングステン、ニッケル、銀またはマンガンから選ばれた金属元素、上述した金属元素を成分とする合金または上述した金属元素を組み合わせた合金などを用いることができる。
【０３１１】
または、酸化インジウム、インジウム錫酸化物、インジウム亜鉛酸化物、酸化亜鉛、ガリウムを添加した酸化亜鉛などの導電性酸化物を用いることができる。
【０３１２】
または、グラフェンまたはグラファイトを用いることができる。グラフェンを含む膜は、例えば膜状に形成された酸化グラフェンを含む膜を還元して形成することができる。還元する方法としては、熱を加える方法や還元剤を用いる方法等を挙げることができる。
【０３１３】
または、導電性高分子を用いることができる。
【０３１４】
《検知回路６９》
検知回路６９は例えばトランジスタＭ１乃至トランジスタＭ３を含む。また、検知回路６９は電源電位および信号を供給する配線を含む。例えば、信号線ＤＬ、配線ＶＰＩ、配線ＣＳ、走査線Ｇ１、配線ＲＥＳ、および配線ＶＲＥＳなどを含む。なお、検知回路６９の具体的な構成は実施の形態６で詳細に説明する。
【０３１５】
なお、検知回路６９を窓部６４と重ならない領域に配置してもよい。例えば、窓部６４と重ならない領域に配線を配置することにより、検知ユニット６０Ｕの一方の側から他方の側にあるものを視認し易くできる。
【０３１６】
例えば、同一の工程で形成することができるトランジスタをトランジスタＭ１乃至トランジスタＭ３に用いることができる。
【０３１７】
トランジスタＭ１は半導体層を有する。例えば、４族の元素、化合物半導体または酸化物半導体を半導体層に用いることができる。具体的には、シリコンを含む半導体、ガリウムヒ素を含む半導体またはインジウムを含む酸化物半導体などを適用できる。
【０３１８】
なお、酸化物半導体を半導体層に適用したトランジスタの構成を、実施の形態６において詳細に説明する。
【０３１９】
導電性を有する材料を配線に適用できる。
【０３２０】
例えば、無機導電性材料、有機導電性材料、金属または導電性セラミックスなどを配線に用いることができる。具体的には、第１の電極６１および第２の電極６２に用いることができる材料と同一の材料を適用できる。
【０３２１】
アルミニウム、金、白金、銀、ニッケル、チタン、タングステン、クロム、モリブデン、鉄、コバルト、銅、又はパラジウム等の金属材料や、該金属材料を含む合金材料を走査線Ｇ１、信号線ＤＬ、配線ＶＰＩ、配線ＲＥＳおよび配線ＶＲＥＳに用いることができる。
【０３２２】
基材６６の上に形成した膜を加工して、基材６６に検知回路６９を形成してもよい。
【０３２３】
または、他の基材上に形成された検知回路６９を基材６６に転置してもよい。
【０３２４】
なお、検知回路の作製方法を、実施の形態６において詳細に説明する。
【０３２５】
《基材６６》
有機材料、無機材料または有機材料と無機材料の複合材料を可撓性の基材６６に用いることができる。
【０３２６】
５μｍ以上２５００μｍ以下、好ましくは５μｍ以上６８０μｍ以下、より好ましくは５μｍ以上１７０μｍ以下、より好ましくは５μｍ以上４５μｍ以下、より好ましくは８μｍ以上２５μｍ以下の厚さを有する材料を、基材６６に用いることができる。
【０３２７】
また、不純物の透過が抑制された材料を基材６６に好適に用いることができる。例えば、水蒸気の透過率が１０−５ｇ／ｍ２・ｄａｙ以下、好ましくは１０−６ｇ／ｍ２・ｄａｙ以下である材料を好適に用いることができる。
【０３２８】
また、それぞれ線膨張率がおよそ等しい材料を基材６６を構成する各材料に好適に用いることができる。例えば、線膨張率が１×１０−３／Ｋ以下、好ましくは５×１０−５／Ｋ以下、より好ましくは１×１０−５／Ｋ以下である材料を好適に用いることができる。
【０３２９】
例えば、樹脂、樹脂フィルムまたはプラスチックフィルム等の有機材料を、基材６６に用いることができる。
【０３３０】
例えば、金属板または厚さ１０μｍ以上５０μｍ以下の薄板状のガラス板等の無機材料を、基材６６に用いることができる。
【０３３１】
例えば、金属板、薄板状のガラス板または無機材料の膜を、樹脂層を用いて樹脂フィルム等に貼り合せて形成された複合材料を、基材６６に用いることができる。
【０３３２】
例えば、繊維状または粒子状の金属、ガラスもしくは無機材料を樹脂または樹脂フィルムに分散した複合材料を、基材６６に用いることができる。
【０３３３】
例えば、熱硬化性樹脂や紫外線硬化樹脂を樹脂層に用いることができる。
【０３３４】
具体的には、ポリエステル、ポリオレフィン、ポリアミド、ポリイミド、ポリカーボネート若しくはアクリル樹脂等の樹脂フィルムまたは樹脂板を用いることができる。
【０３３５】
具体的には、無アルカリガラス、ソーダ石灰ガラス、カリガラス若しくはクリスタルガラス等を用いることができる。
【０３３６】
具体的には、金属酸化物膜、金属窒化物膜若しくは金属酸窒化物膜等を用いることができる。例えば、酸化珪素膜、窒化珪素膜、酸窒化珪素膜、アルミナ膜等を適用できる。
【０３３７】
具体的には、開口部が設けられたＳＵＳまたはアルミニウム等を用いることができる。
【０３３８】
具体的には、アクリル、ウレタン、エポキシ、またはシロキサン結合を有する樹脂などの樹脂を用いることができる。
【０３３９】
例えば、可撓性を有する基材６６ｂと、不純物の拡散を防ぐバリア膜６６ａと、基材６６ｂおよびバリア膜６６ａを貼り合わせる樹脂層６６ｃと、が積層された積層体を基材６６に好適に用いることができる（図１８参照）。
【０３４０】
具体的には、厚さ６００ｎｍの酸化窒化珪素膜および厚さ２００ｎｍの窒化珪素膜が積層された積層材料を含む膜を、バリア膜６６ａに用いることができる。
【０３４１】
具体的には、厚さ６００ｎｍの酸化窒化珪素膜、厚さ２００ｎｍの窒化珪素膜、厚さ２００ｎｍの酸化窒化珪素膜、厚さ１４０ｎｍの窒化酸化珪素膜および厚さ１００ｎｍの酸化窒化珪素膜がこの順に積層された積層材料を含む膜を、バリア膜６６ａに用いることができる。
【０３４２】
ポリエステル、ポリオレフィン、ポリアミド、ポリイミド、ポリカーボネート若しくはアクリル樹脂等の樹脂フィルム、樹脂板またはこれら２以上を含む積層体等を基材６６ｂに用いることができる。
【０３４３】
例えば、ポリエステル、ポリオレフィン、ポリアミド（ナイロン、アラミド等）、ポリイミド、ポリカーボネートまたはアクリル、ウレタン、エポキシもしくはシロキサン結合を有する樹脂を含む材料を樹脂層６６ｃに用いることができる。
【０３４４】
《保護基材６７、保護層６７ｐ》
可撓性の保護基材６７または／および保護層６７ｐを備えることができる。可撓性の保護基材６７または保護層６７ｐは傷の発生を防いで入力装置６２０を保護する。
【０３４５】
例えば、ポリエステル、ポリオレフィン、ポリアミド、ポリイミド、ポリカーボネート若しくはアクリル樹脂等の樹脂フィルム、樹脂板または積層体等を保護基材６７に用いることができる。
【０３４６】
例えば、ハードコート層またはセラミックコート層を保護層６７ｐに用いることができる。具体的には、ＵＶ硬化樹脂または酸化アルミニウムを含む層を第２の電極に重なる位置に形成してもよい。
【０３４７】
《表示部６０１》
表示部６０１は、マトリクス状に配置された複数の画素６０２を備える（図１７（Ｃ）参照）。
【０３４８】
例えば、画素６０２は副画素６０２Ｂ、副画素６０２Ｇおよび副画素６０２Ｒを含み、それぞれの副画素は表示素子と表示素子を駆動する画素回路を備える。
【０３４９】
なお、画素６０２の副画素６０２Ｂは着色層ＣＦＢと重なる位置に配置され、副画素６０２Ｇは着色層ＣＦＧと重なる位置に配置され、副画素６０２Ｒは着色層ＣＦＲと重なる位置に配置される。
【０３５０】
本実施の形態では、白色の光を射出する有機エレクトロルミネッセンス素子を表示素子に適用する場合について説明するが、表示素子はこれに限られない。
【０３５１】
例えば、副画素毎に射出する光の色が異なるように、発光色が異なる有機エレクトロルミネッセンス素子を副画素毎に適用してもよい。
【０３５２】
《基材６１０》
可撓性を有する材料を基材６１０に用いることができる。例えば、基材６６に用いることができる材料を基材６１０に適用することができる。
【０３５３】
例えば、可撓性を有する基材６１０ｂと、不純物の拡散を防ぐバリア膜６１０ａと、基材６１０ｂおよびバリア膜６１０ａを貼り合わせる樹脂層６１０ｃと、が積層された積層体を基材６１０に好適に用いることができる（図１８参照）。
【０３５４】
《封止材６６０》
封止材６６０は基材６６と基材６１０を貼り合わせる。封止材６６０は空気より大きい屈折率を備える。また、封止材６６０側に光を取り出す場合は、封止材６６０は光学接合層を兼ねる。
【０３５５】
画素回路および発光素子（例えば発光素子６５０Ｒ）は基材６１０と基材６６の間にある。
【０３５６】
《画素の構成》
副画素６０２Ｒは発光モジュール６８０Ｒを備える。
【０３５７】
副画素６０２Ｒは、発光素子６５０Ｒおよび発光素子６５０Ｒに電力を供給することができるトランジスタ６０２ｔを含む画素回路を備える。また、発光モジュール６８０Ｒは発光素子６５０Ｒおよび光学素子（例えば着色層ＣＦＲ）を備える。
【０３５８】
発光素子６５０Ｒは、下部電極、上部電極、下部電極と上部電極の間に発光性の有機化合物を含む層を有する。
【０３５９】
発光モジュール６８０Ｒは、光を取り出す方向に着色層ＣＦＲを有する。着色層は特定の波長を有する光を透過するものであればよく、例えば赤色、緑色または青色等を呈する光を選択的に透過するものを用いることができる。なお、他の副画素を着色層が設けられていない窓部に重なるように配置して、着色層を透過しないで発光素子の発する光を射出させてもよい。
【０３６０】
また、封止材６６０が光を取り出す側に設けられている場合、封止材６６０は、発光素子６５０Ｒと着色層ＣＦＲに接する。
【０３６１】
着色層ＣＦＲは発光素子６５０Ｒと重なる位置にある。これにより、発光素子６５０Ｒが発する光の一部は着色層ＣＦＲを透過して、図中に示す矢印の方向の発光モジュール６８０Ｒの外部に射出される。
【０３６２】
着色層（例えば着色層ＣＦＲ）を囲むように遮光性の層ＢＭがある。
【０３６３】
《画素回路の構成》
画素回路に含まれるトランジスタ６０２ｔを覆う絶縁膜６２１を備える。絶縁膜６２１は画素回路に起因する凹凸を平坦化するための層として用いることができる。また、不純物の拡散を抑制できる層を含む積層膜を、絶縁膜６２１に適用することができる。これにより、不純物の拡散によるトランジスタ６０２ｔ等の信頼性の低下を抑制できる。
【０３６４】
絶縁膜６２１の上に下部電極が配置され、下部電極の端部に重なるように隔壁６２８が絶縁膜６２１の上に配設される。
【０３６５】
下部電極は、上部電極との間に発光性の有機化合物を含む層を挟持して発光素子（例えば発光素子６５０Ｒ）を構成する。画素回路は発光素子に電力を供給する。
【０３６６】
また、隔壁６２８上に、基材６６と基材６１０の間隔を制御するスペーサを有する。
【０３６７】
《走査線駆動回路の構成》
走査線駆動回路６０３ｇ（１）は、トランジスタ６０３ｔおよび容量６０３ｃを含む。なお、画素回路と同一の工程で同一基板上に形成することができるトランジスタを駆動回路に用いることができる。
【０３６８】
《変換器ＣＯＮＶ》
検知ユニット６０Ｕが供給する検知信号ＤＡＴＡを変換してＦＰＣ１に供給することができるさまざまな回路を、変換器ＣＯＮＶに用いることができる（図１７（Ａ）および図１８参照）。
【０３６９】
例えば、トランジスタＭ４を変換器ＣＯＮＶに用いることができる。
【０３７０】
《他の構成》
表示部６０１は、反射防止層６６７ｐを画素に重なる位置に備える。反射防止層６６７ｐとして、例えば円偏光板を用いることができる。
【０３７１】
表示部６０１は、信号を供給することができる配線６１１を備え、端子６１９が配線６１１に設けられている。なお、画像信号および同期信号等の信号を供給することができるフレキシブル基板ＦＰＣ２が端子６１９に電気的に接続されている。
【０３７２】
なお、フレキシブル基板ＦＰＣ２にはプリント配線基板（ＰＷＢ）が取り付けられていても良い。
【０３７３】
表示部６０１は、走査線、信号線および電源線等の配線を有する。様々な導電膜を配線に用いることができる。
【０３７４】
具体的には、アルミニウム、クロム、銅、タンタル、チタン、モリブデン、タングステン、ニッケル、イットリウム、ジルコニウム、銀またはマンガンから選ばれた金属元素、上述した金属元素を成分とする合金または上述した金属元素を組み合わせた合金等を用いることができる。とくに、アルミニウム、クロム、銅、タンタル、チタン、モリブデン、タングステンの中から選択される一以上の元素を含むと好ましい。特に、銅とマンガンの合金がウエットエッチング法を用いた微細加工に好適である。
【０３７５】
具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を用いることができる。
【０３７６】
具体的には、アルミニウム膜上にチタン、タンタル、タングステン、モリブデン、クロム、ネオジム、スカンジウムから選ばれた金属の膜、またはこれらから選ばれた複数の金属を含む合金膜、もしくはこれらから選ばれた金属の窒化物を含む膜を積層する積層構造を用いることができる。
【０３７７】
また、酸化インジウム、酸化錫または酸化亜鉛を含む透光性を有する導電材料を用いてもよい。
【０３７８】
本実施の形態は、少なくともその一部を本明細書中に記載する他の実施の形態と適宜組み合わせて実施することができる。
【０３７９】
（実施の形態６）
本実施の形態では、本発明の一態様の入出力装置の検知ユニットに用いることができる検知回路の構成および駆動方法について、図１９を参照しながら説明する。
【０３８０】
図１９は本発明の一態様の検知回路６９および変換器ＣＯＮＶの構成および駆動方法を説明する図である。
【０３８１】
図１９（Ａ）は本発明の一態様の検知回路６９および変換器ＣＯＮＶの構成を説明する回路図であり、図１９（Ｂ−１）および図１９（Ｂ−２）は駆動方法を説明するタイミングチャートである。
【０３８２】
本発明の一態様の検知回路６９は、ゲートが検知素子Ｃの第１の電極６１と電気的に接続され、第１の電極が例えば接地電位を供給することができる配線ＶＰＩと電気的に接続される第１のトランジスタＭ１を備える（図１９（Ａ）参照）。
【０３８３】
また、ゲートが選択信号を供給することができる走査線Ｇ１と電気的に接続され、第１の電極が第１のトランジスタＭ１の第２の電極と電気的に接続され、第２の電極が例えば検知信号ＤＡＴＡを供給することができる信号線ＤＬと電気的に接続される第２のトランジスタＭ２を備える構成であってもよい。
【０３８４】
また、ゲートがリセット信号を供給することができる配線ＲＥＳと電気的に接続され、第１の電極が検知素子Ｃの第１の電極６１と電気的に接続され、第２の電極が例えば接地電位を供給することができる配線ＶＲＥＳと電気的に接続される第３のトランジスタＭ３を備える構成であってもよい。
【０３８５】
検知素子Ｃの容量は、例えば、第１の電極６１または第２の電極６２にものが近接すること、もしくは第１の電極６１および第２の電極６２の間隔が変化することにより変化する。これにより、検知ユニット６０Ｕは検知素子Ｃの容量の変化に基づく検知信号ＤＡＴＡを供給することができる。
【０３８６】
また、検知ユニット６０Ｕは、検知素子Ｃの第２の電極６２の電位を制御することができる制御信号を供給することができる配線ＣＳを備える。
【０３８７】
なお、検知素子Ｃの第１の電極６１、第１のトランジスタＭ１のゲートおよび第３のトランジスタの第１の電極が電気的に接続される結節部をノードＡという。
【０３８８】
配線ＶＲＥＳおよび配線ＶＰＩは例えば接地電位を供給することができ、配線ＶＰＯおよび配線ＢＲは例えば高電源電位を供給することができる。
【０３８９】
また、配線ＲＥＳはリセット信号を供給することができ、走査線Ｇ１は選択信号を供給することができ、配線ＣＳは検知素子Ｃの第２の電極６２の電位を制御する制御信号を供給することができる。
【０３９０】
また、信号線ＤＬは検知信号ＤＡＴＡを供給することができ、端子ＯＵＴは検知信号ＤＡＴＡに基づいて変換された信号を供給することができる。
【０３９１】
なお、検知信号ＤＡＴＡを変換して端子ＯＵＴに供給することができるさまざまな回路を、変換器ＣＯＮＶに用いることができる。例えば、変換器ＣＯＮＶを検知回路６９と電気的に接続することにより、ソースフォロワ回路またはカレントミラー回路などが構成されるようにしてもよい。
【０３９２】
具体的には、トランジスタＭ４を用いた変換器ＣＯＮＶを用いて、ソースフォロワ回路を構成できる（図１９（Ａ）参照）。なお、第１のトランジスタＭ１乃至第３のトランジスタＭ３と同一の工程で作製することができるトランジスタをトランジスタＭ４に用いてもよい。
【０３９３】
また、トランジスタＭ１乃至トランジスタＭ３は半導体層を有する。例えば、４族の元素、化合物半導体または酸化物半導体を半導体層に用いることができる。具体的には、シリコンを含む半導体、ガリウムヒ素を含む半導体またはインジウムを含む酸化物半導体などを適用できる。
【０３９４】
なお、酸化物半導体を半導体層に適用したトランジスタの構成を、実施の形態５において詳細に説明する。
【０３９５】
＜検知回路６９の駆動方法＞
検知回路６９の駆動方法について説明する。
【０３９６】
《第１のステップ》
第１のステップにおいて、第３のトランジスタを導通状態にした後に非導通状態にするリセット信号をゲートに供給し、検知素子Ｃの第１の電極６１の電位を所定の電位にする（図１９（Ｂ−１）期間Ｔ１参照）。
【０３９７】
具体的には、リセット信号を配線ＲＥＳに供給させる。リセット信号が供給された第３のトランジスタは、ノードＡの電位を例えば接地電位にする（図１９（Ａ）参照）。
【０３９８】
《第２のステップ》
第２のステップにおいて、第２のトランジスタＭ２を導通状態にする選択信号をゲートに供給し、第１のトランジスタの第２の電極を信号線ＤＬに電気的に接続する。
【０３９９】
具体的には、走査線Ｇ１に選択信号を供給させる。選択信号が供給された第２のトランジスタＭ２は、第１のトランジスタの第２の電極を信号線ＤＬに電気的に接続する（図１９（Ｂ−１）期間Ｔ２参照）。
【０４００】
《第３のステップ》
第３のステップにおいて、制御信号を検知素子Ｃの第２の電極に供給し、制御信号および検知素子Ｃの容量に基づいて変化する電位を第１のトランジスタＭ１のゲートに供給する。
【０４０１】
具体的には、配線ＣＳに矩形の制御信号を供給させる。矩形の制御信号を第２の電極６２に供給することで、検知素子Ｃの容量に基づいてノードＡの電位が上昇する（図１９（Ｂ−１）期間Ｔ２の後半を参照）。
【０４０２】
例えば、検知素子が大気中に置かれている場合、大気より誘電率の高いものが、検知素子Ｃの第２の電極６２に近接して配置された場合、検知素子Ｃの容量は見かけ上大きくなる。
【０４０３】
これにより、矩形の制御信号がもたらすノードＡの電位の変化は、大気より誘電率の高いものが近接して配置されていない場合に比べて小さくなる（図１９（Ｂ−２）実線参照）。
【０４０４】
《第４のステップ》
第４のステップにおいて、第１のトランジスタＭ１のゲートの電位の変化がもたらす信号を信号線ＤＬに供給する。
【０４０５】
例えば、第１のトランジスタＭ１のゲートの電位の変化がもたらす電流の変化を信号線ＤＬに供給する。
【０４０６】
変換器ＣＯＮＶは、信号線ＤＬを流れる電流の変化を電圧の変化に変換して出力する。
【０４０７】
《第５のステップ》
第５のステップにおいて、第２のトランジスタＭ２を非導通状態にする選択信号をゲートに供給する。
【０４０８】
本実施の形態は、少なくともその一部を本明細書中に記載する他の実施の形態と適宜組み合わせて実施することができる。
【０４０９】
（実施の形態７）
本実施の形態では、本発明の一態様の表示装置が適用された電子機器や照明装置の例について、図面を参照して説明する。
【０４１０】
フレキシブルな形状を備える表示装置を適用した電子機器として、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０４１１】
また、照明装置や表示装置を、家屋やビルの内壁または外壁や、自動車の内装または外装の曲面に沿って組み込むことも可能である。
【０４１２】
図２０（Ａ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを備えている。なお、携帯電話機７４００は、表示装置を表示部７４０２に用いることにより作製される。
【０４１３】
図２０（Ａ）に示す携帯電話機７４００は、表示部７４０２を指などで触れることで、情報を入力することができる。また、電話を掛ける、或いは文字を入力するなどのあらゆる操作は、表示部７４０２を指などで触れることにより行うことができる。
【０４１４】
また操作ボタン７４０３の操作により、電源のＯＮ、ＯＦＦや、表示部７４０２に表示される画像の種類を切り替えることができる。例えば、メール作成画面から、メインメニュー画面に切り替えることができる。
【０４１５】
ここで、表示部７４０２には、本発明の一態様の表示装置が組み込まれている。したがって、湾曲した表示部を備え、且つ信頼性の高い携帯電話機とすることができる。
【０４１６】
図２０（Ｂ）は、リストバンド型の表示装置の一例を示している。携帯表示装置７１００は、筐体７１０１、表示部７１０２、操作ボタン７１０３、及び送受信装置７１０４を備える。
【０４１７】
携帯表示装置７１００は、送受信装置７１０４によって映像信号を受信可能で、受信した映像を表示部７１０２に表示することができる。また、音声信号を他の受信機器に送信することもできる。
【０４１８】
また、操作ボタン７１０３によって、電源のＯＮ、ＯＦＦ動作や表示する映像の切り替え、または音声のボリュームの調整などを行うことができる。
【０４１９】
ここで、表示部７１０２には、本発明の一態様の表示装置が組み込まれている。したがって、湾曲した表示部を備え、且つ信頼性の高い携帯表示装置とすることができる。
【０４２０】
図２０（Ｃ）〜図２０（Ｄ）は、照明装置の一例を示している。照明装置７２１０、照明装置７２２０はそれぞれ、操作スイッチ７２０３を備える台部７２０１と、台部７２０１に支持される発光部を有する。
【０４２１】
図２０（Ｃ）に示す照明装置７２１０の備える発光部７２１２は、凸状に湾曲した２つの発光部が対称的に配置された構成となっている。したがって照明装置７２１０を中心に全方位を照らすことができる。
【０４２２】
図２０（Ｄ）に示す照明装置７２２０は、凹状に湾曲した発光部７２２２を備える。したがって、発光部７２２２からの発光を、照明装置７２２０の前面に集光するため、特定の範囲を明るく照らす場合に適している。
【０４２３】
また、照明装置７２１０及び照明装置７２２０が備える各々の発光部はフレキシブル性を有しているため、当該発光部を可塑性の部材や可動なフレームなどの部材で固定し、用途に合わせて発光部の発光面を自在に湾曲可能な構成としてもよい。
【０４２４】
ここで、照明装置７２１０及び照明装置７２２０が備える各々の発光部には、本発明の一態様の表示装置が組み込まれている。したがって、湾曲した表示部を備え、且つ信頼性の高い照明装置とすることができる。
【０４２５】
図２１（Ａ）に、携帯型の表示装置の一例を示す。表示装置７３００は、筐体７３０１、表示部７３０２、操作ボタン７３０３、引き出し部材７３０４、制御部７３０５を備える。
【０４２６】
表示装置７３００は、筒状の筐体７３０１内にロール状に巻かれたフレキシブルな表示部７３０２を備える。表示部７３０２は、遮光層などが形成された第１の基板と、トランジスタなどが形成された第２の基板を有する。表示部７３０２は、筐体７３０１内において常に第２の基板が外側になるように巻かれている。
【０４２７】
また、表示装置７３００は制御部７３０５によって映像信号を受信可能で、受信した映像を表示部７３０２に表示することができる。また、制御部７３０５にはバッテリを備える。また、制御部７３０５にコネクタを備え、映像信号や電力を直接供給する構成としてもよい。
【０４２８】
また、操作ボタン７３０３によって、電源のＯＮ、ＯＦＦ動作や表示する映像の切り替え等を行うことができる。
【０４２９】
図２１（Ｂ）に、表示部７３０２を引き出し部材７３０４により引き出した状態を示す。この状態で表示部７３０２に映像を表示することができる。また、筐体７３０１の表面に配置された操作ボタン７３０３によって、片手で容易に操作することができる。
【０４３０】
なお、表示部７３０２を引き出した際に表示部７３０２が湾曲しないよう、表示部７３０２の端部に補強のためのフレームを設けていてもよい。
【０４３１】
なお、この構成以外に、筐体にスピーカを設け、映像信号と共に受信した音声信号によって音声を出力する構成としてもよい。
【０４３２】
表示部７３０２には、本発明の一態様の表示装置が組み込まれている。したがって、表示部７３０２はフレキシブルで且つ信頼性の高い表示装置であるため、表示装置７３００は軽量で且つ信頼性の高い表示装置とすることができる。
【０４３３】
なお、本発明の一態様の表示装置を具備していれば、上記で示した電子機器や照明装置に特に限定されないことは言うまでもない。
【０４３４】
本実施の形態に示す構成及び方法などは、他の実施の形態に示す構成及び方法などと適宜組み合わせて用いることができる。
【符号の説明】
【０４３５】
１０    表示装置
１１    表示領域
１５    柱
１６    壁
２１    内装部材
２２    外装部材
２３    支持部材
２５    アンテナ
２６    遮光部
２７    無線信号
５０    電子機器
５１ａ    支持体
５１ｂ    支持体
５１ｃ    支持体
５２    ヒンジ
５２ａ    ヒンジ
５２ｂ    ヒンジ
５３ａ    基板
５３ｂ    基板
５３ｃ    基板
５４ａ    端子
５４ｂ    端子
５４ｃ    端子
５５ａ    バッテリ
５５ｂ    バッテリ
５５ｃ    バッテリ
６０Ｕ    検知ユニット
６１    電極
６２    電極
６３    絶縁層
６４    窓部
６６    基材
６６ａ    バリア膜
６６ｂ    基材
６６ｃ    樹脂層
６７    保護基材
６７ｐ    保護層
６９    検知回路
７０    電子機器
１００    表示パネル
１００ａ    表示パネル
１００ｂ    表示パネル
１００ｃ    表示パネル
１００ｄ    表示パネル
１００ｅ    表示パネル
１００ｆ    表示パネル
１００ｇ    表示パネル
１００ｈ    表示パネル
１００ｉ    表示パネル
１００ｊ    表示パネル
１０１    表示領域
１０１ａ    表示領域
１０１ｂ    表示領域
１０１ｃ    表示領域
１０１ｄ    表示領域
１１０    領域
１１０ａ    領域
１１０ｂ    領域
１１０ｃ    領域
１１０ｄ    領域
１１２    ＦＰＣ
１１２ａ    ＦＰＣ
１１２ｂ    ＦＰＣ
１１２ｃ    ＦＰＣ
１２０    領域
１２０ｂ    領域
１２０ｃ    領域
１２３    ＦＰＣ
１３１    樹脂層
１３２    保護基板
１３３    樹脂層
１３４    保護基板
１４１    画素
１４１ａ    画素
１４１ｂ    画素
１４２ａ    配線
１４２ｂ    配線
１４３ａ    回路
１４３ｂ    回路
１４５    配線
１５０    無線モジュール
１５１    基板
１５２    基板
１５３    接着層
３００    タッチパネル
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    第１の発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
５００    タッチパネル
５００Ｂ    タッチパネル
５０１    表示部
５０２Ｒ    副画素
５０２ｔ    トランジスタ
５０３ｃ    容量
５０３ｇ    走査線駆動回路
５０３ｔ    トランジスタ
５０９    ＦＰＣ
５１０    基板
５１０ａ    バリア膜
５１０ｂ    基板
５１０ｃ    接着層
５１１    配線
５１９    端子
５２１    絶縁膜
５２８    隔壁
５５０Ｒ    第１の発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    接着層
５８０Ｒ    発光モジュール
５９０    基板
５９１    電極
５９２    電極
５９３    絶縁層
５９４    配線
５９５    タッチセンサ
５９７    接着層
５９８    配線
５９９    接続層
６００    入出力装置
６０１    表示部
６０２    画素
６０２Ｂ    副画素
６０２Ｇ    副画素
６０２Ｒ    副画素
６０２ｔ    トランジスタ
６０３ｃ    容量
６０３ｇ    走査線駆動回路
６０３ｔ    トランジスタ
６１０    基材
６１０ａ    バリア膜
６１０ｂ    基材
６１０ｃ    樹脂層
６１１    配線
６１９    端子
６２０    入力装置
６２１    絶縁膜
６２８    隔壁
６５０Ｒ    発光素子
６６０    封止材
６６７ｐ    反射防止層
６８０Ｒ    発光モジュール
７１００    携帯表示装置
７１０１    筐体
７１０２    表示部
７１０３    操作ボタン
７１０４    送受信装置
７２０１    台部
７２０３    操作スイッチ
７２１０    照明装置
７２１２    発光部
７２２０    照明装置
７２２２    発光部
７３００    表示装置
７３０１    筐体
７３０２    表示部
７３０３    操作ボタン
７３０４    引き出し部材
７３０５    制御部
７４００    携帯電話機
７４０１    筐体
７４０２    表示部
７４０３    操作ボタン
７４０４    外部接続ポート
７４０５    スピーカ
７４０６    マイク
【図１】
2015180924.tif 000003
【図２】
2015180924.tif 000004
【図３】
2015180924.tif 000005
【図４】
2015180924.tif 000006
【図５】
2015180924.tif 000007
【図６】
2015180924.tif 000008
【図７】
2015180924.tif 000009
【図８】
2015180924.tif 000010
【図９】
2015180924.tif 000011
【図１０】
2015180924.tif 000012
【図１１】
2015180924.tif 000013
【図１２】
2015180924.tif 000014
【図１３】
2015180924.tif 000015
【図１４】
2015180924.tif 000016
【図１５】
2015180924.tif 000017
【図１６】
2015180924.tif 000018
【図１７】
2015180924.tif 000019
【図１８】
2015180924.tif 000020
【図１９】
2015180924.tif 000021
【図２０】
2015180924.tif 000022
【図２１】
2015180924.tif 000023